(57)【要約】      （修正有）【課題】アップリンク・チャネルにおいて制御情報を送信するための技術を提供する。【解決手段】ユーザ機器（ＵＥ）は、制御チャネルおよび共有チャネルの同時送信のための現在の設定を判定する。ＵＥは、同じサブフレームで、少なくとも１つのタイプの制御情報を送信するために、制御チャネルおよび共有チャネルから、１または複数のチャネルを選択する。ＵＥは、送信する制御チャネルのタイプ、制御チャネルおよび共有チャネルの同時送信のための現在の設定、ＵＥがサブフレームにおいて、共有チャネルでのデータ送信のためにスケジュールされているか否か、ＵＥが制御チャネルと共有チャネルとの両方を送信するための十分な送信電力を有しているか否か、等に基づいて、１または複数のチャネルを選択する。ＵＥは、サブフレームにおいて、選択された１または複数のチャネルで、制御情報を送信する。【選択図】図５
2014239480.tif 000002
【特許請求の範囲】
【請求項１】
無線通信のための方法であって、
ユーザ機器（ＵＥ）による制御チャネルと共有チャネルとの同時送信のための現在の設定を決定することと、
前記制御チャネルと前記共有チャネルとの同時送信のための現在の設定と、制御情報のタイプとに基づいて、前記制御チャネルおよび前記共有チャネルから、サブフレームで前記制御情報を送信するための、１または複数のチャネルを選択することと、
前記サブフレームにおいて、前記１または複数のチャネルで、前記制御情報を送信することと、
を備える方法。
【請求項２】
前記１または複数のチャネルを選択することは、前記ＵＥが、前記サブフレームにおいて、前記共有チャネルでのデータ送信のためにスケジュールされているか否かにさらに基づいて、前記１または複数のチャネルを選択することを備える、請求項１に記載の方法。
【請求項３】
前記１または複数のチャネルを選択することは、前記ＵＥが、前記サブフレームにおいて、前記制御チャネルと前記共有チャネルとの両方を送信するための十分な送信電力を有しているか否かにさらに基づいて、前記１または複数のチャネルを選択することを備える、請求項１に記載の方法。
【請求項４】
前記制御情報は、アクノレッジメント／否定的アクノレッジメント（ＡＣＫ／ＮＡＣＫ）ビットおよびチャネル状態情報（ＣＳＩ）を備える、請求項１に記載の方法。
【請求項５】
前記１または複数のチャネルを選択することは、前記現在の設定が、前記制御チャネルと前記共有チャネルとの同時送信を許可しているとの判定に基づいて、前記ＡＣＫ／ＮＡＣＫビットを送信するために前記制御チャネルを、前記ＣＳＩを送信するために前記共有チャネルを選択することを備える、請求項４に記載の方法。
【請求項６】
前記１または複数のチャネルを選択することは、前記ＵＥによる前記ＡＣＫ／ＮＡＣＫビットと前記ＣＳＩとの同時送信のための現在の設定にさらに基づいて、前記１または複数のチャネルを選択することを備える、請求項４に記載の方法。
【請求項７】
前記１または複数のチャネルを選択することは、前記ＡＣＫ／ＮＡＣＫビットを送信するために前記制御チャネルを、前記ＣＳＩを送信するために前記共有チャネルを選択することを備える、請求項６に記載の方法。
【請求項８】
前記１または複数のチャネルを選択することは、送信すべき前記ＡＣＫ／ＮＡＣＫビットの数にさらに基づいて、前記ＡＣＫ／ＮＡＣＫビットを送信するために前記制御チャネルを、前記ＣＳＩを送信するために前記共有チャネルを選択することを備える、請求項４に記載の方法。
【請求項９】
前記制御情報を送信することは、単一のアップリンク・キャリアにおいて、前記制御チャネルで前記ＡＣＫ／ＮＡＣＫビットを、前記共有チャネルで前記ＣＳＩを送信することを備える、請求項５に記載の方法。
【請求項１０】
前記制御情報を送信することは、
第１のアップリンク・キャリアにおいて前記制御チャネルで前記ＡＣＫ／ＮＡＣＫビットを送信することと、
第２のアップリンク・キャリアにおいて前記共有チャネルで前記ＣＳＩを送信することと
を備える、請求項５に記載の方法。
【請求項１１】
前記１または複数のチャネルを選択することは、前記ＡＣＫ／ＮＡＣＫビットを送信するために第１の制御チャネルを、前記ＣＳＩを送信するために第２の制御チャネルを選択することを備える、請求項４に記載の方法。
【請求項１２】
前記制御情報を送信することは、
前記ＵＥの第１のアンテナによって、前記制御チャネルで前記ＡＣＫ／ＮＡＣＫビットを送信することと、
前記ＵＥの第２のアンテナによって、前記制御チャネルで前記ＣＳＩを送信することと
を備える、請求項４に記載の方法。
【請求項１３】
前記制御情報は、アクノレッジメント／否定的アクノレッジメント（ＡＣＫ／ＮＡＣＫ）ビットのみを備え、
前記１または複数のチャネルを選択することは、前記ＡＣＫ／ＮＡＣＫビットを送信するために前記制御チャネルを選択することを備える、請求項１に記載の方法。
【請求項１４】
前記制御情報は、チャネル状態情報（ＣＳＩ）のみを備え、
前記１または複数のチャネルは、前記ＣＳＩを送信するために前記制御チャネルを選択することを備える、請求項１に記載の方法。
【請求項１５】
前記制御情報は、第１の優先度を持つ第１のタイプの制御情報と、前記第１の優先度よりも低い第２の優先度を持つ第２のタイプの制御情報とを備え、
前記１または複数のチャネルを選択することは、前記第１のタイプの制御情報を送信するために前記制御チャネルを、前記第２のタイプの制御情報を送信するために前記共有チャネルを選択することを備える、請求項１に記載の方法。
【請求項１６】
前記１または複数のチャネルを選択することは、前記サブフレームにおいて、前記共有チャネルでのデータ送信のために前記ＵＥがスケジュールされていないとの判定に基づいて、前記制御情報を送信するために前記制御チャネルを選択することを備える、請求項２に記載の方法。
【請求項１７】
前記ＵＥによって電力ヘッドルーム・レポートを送信することと、
前記ＵＥによる前記制御チャネルと前記共有チャネルとの同時送信のための現在の設定を示すシグナリングを受信することと
をさらに備え、
前記現在の設定は、前記電力ヘッドルーム・レポートからの情報に基づく、請求項１に記載の方法。
【請求項１８】
無線通信のための装置であって、
ユーザ機器（ＵＥ）による制御チャネルと共有チャネルとの同時送信のための現在の設定を決定する手段と、
前記制御チャネルと前記共有チャネルとの同時送信のための現在の設定と、制御情報のタイプとに基づいて、前記制御チャネルおよび前記共有チャネルから、サブフレームで前記制御情報を送信するための、１または複数のチャネルを選択する手段と、
前記サブフレームにおいて、前記１または複数のチャネルで、前記制御情報を送信する手段と、
を備える装置。
【請求項１９】
前記１または複数のチャネルを選択する手段は、前記サブフレームにおいて、前記共有チャネルでのデータ送信のために前記ＵＥがスケジュールされているか否かにさらに基づいて、前記１または複数のチャネルを選択する手段を備える、請求項１８に記載の装置。
【請求項２０】
前記１または複数のチャネルを選択する手段は、前記サブフレームにおいて、前記制御チャネルと前記共有チャネルとの両方を送信するための十分な送信電力を前記ＵＥが有しているか否かにさらに基づいて、前記１または複数のチャネルを選択する手段を備える、請求項１８に記載の装置。
【請求項２１】
前記制御情報は、アクノレッジメント／否定的アクノレッジメント（ＡＣＫ／ＮＡＣＫ）ビットおよびチャネル状態情報（ＣＳＩ）を備え、
前記１または複数のチャネルを選択する手段は、前記ＵＥによる前記ＡＣＫ／ＮＡＣＫビットと前記ＣＳＩとの同時送信のための現在の設定にさらに基づいて、前記１または複数のチャネルを選択する手段を備える、請求項１８に記載の装置。
【請求項２２】
前記制御情報は、アクノレッジメント／否定的アクノレッジメント（ＡＣＫ／ＮＡＣＫ）ビットおよびチャネル状態情報（ＣＳＩ）を備え、
前記１または複数のチャネルを選択する手段は、前記ＡＣＫ／ＮＡＣＫビットのビット数にさらに基づいて、前記１または複数のチャネルを選択する手段を備える、請求項１８に記載の装置。
【請求項２３】
無線通信のための装置であって、
ユーザ機器（ＵＥ）による制御チャネルと共有チャネルとの同時送信のための現在の設定を決定し、
前記制御チャネルおよび前記共有チャネルから、１または複数のチャネルを選択し、
前記制御チャネルと前記共有チャネルとの同時送信のための現在の設定と、制御情報のタイプとに基づいて、サブフレームで前記制御情報を送信し、
前記サブフレームにおいて、前記１または複数のチャネルで、前記制御情報を送信する
ように構成された少なくとも１つのプロセッサと、
前記少なくとも１つのプロセッサに接続されたメモリと、
を備える装置。
【請求項２４】
前記少なくとも１つのプロセッサは、前記サブフレームにおいて、前記共有チャネルでのデータ送信のために前記ＵＥがスケジュールされているか否かにさらに基づいて、前記１または複数のチャネルを選択するように構成された、請求項２３に記載の装置。
【請求項２５】
前記少なくとも１つのプロセッサは、前記サブフレームにおいて、前記制御チャネルと前記共有チャネルとの両方を送信するための十分な送信電力を前記ＵＥが有しているか否かにさらに基づいて、前記１または複数のチャネルを選択するように構成された、請求項２３に記載の装置。
【請求項２６】
前記制御情報は、アクノレッジメント／否定的アクノレッジメント（ＡＣＫ／ＮＡＣＫ）ビットおよびチャネル状態情報（ＣＳＩ）を備え、
前記少なくとも１つのプロセッサは、前記ＵＥによる前記ＡＣＫ／ＮＡＣＫビットと前記ＣＳＩとの同時送信のための現在の設定にさらに基づいて、前記１または複数のチャネルを選択するように構成された、請求項２３に記載の装置。
【請求項２７】
前記制御情報は、アクノレッジメント／否定的アクノレッジメント（ＡＣＫ／ＮＡＣＫ）ビットを備え、
前記少なくとも１つのプロセッサは、送信すべき前記ＡＣＫ／ＮＡＣＫビットの数にさらに基づいて、前記１または複数のチャネルを選択するように構成された、請求項２３に記載の装置。
【請求項２８】
コンピュータ・プログラム製品であって、
少なくとも１つのプロセッサに対して、ユーザ機器（ＵＥ）による制御チャネルと共有チャネルとの同時送信のための現在の設定を決定させるためのコードと、
前記少なくとも１つのプロセッサに対して、前記制御チャネルと前記共有チャネルとの同時送信のための現在の設定と、制御情報のタイプとに基づいて、前記制御チャネルおよび前記共有チャネルから、サブフレームで前記制御情報を送信するための、１または複数のチャネルを選択させるためのコードと、
前記少なくとも１つのプロセッサに対して、前記サブフレームにおいて、前記１または複数のチャネルで、前記制御情報を送信させるためのコードと、
を備える非一時的なコンピュータ読取可能な媒体
を備える、コンピュータ・プログラム製品。
【請求項２９】
無線通信のための方法であって、
ユーザ機器（ＵＥ）による制御チャネルと共有チャネルとの同時送信のための現在の設定を決定することと、
サブフレームで前記ＵＥから制御情報を受信するためのチャネルの１または複数を決定することと、ここで、前記１または複数のチャネルは、前記制御チャネルと前記共有チャネルとの同時送信のための現在の設定と、前記制御情報のタイプとに基づいて決定される、
前記サブフレームにおいて、前記１または複数のチャネルで、前記制御情報を受信することと、
を備える方法。
【請求項３０】
前記ＵＥが、前記サブフレームにおいて、前記共有チャネルでのデータ送信のためにスケジュールされているか否かにさらに基づいて、前記１または複数のチャネルが決定される、請求項２９に記載の方法。
【請求項３１】
前記サブフレームにおいて、前記制御チャネルと前記共有チャネルとの両方を送信するための十分な送信電力を前記ＵＥが有しているか否かにさらに基づいて、前記１または複数のチャネルが決定される、請求項２９に記載の方法。
【請求項３２】
前記制御情報は、アクノレッジメント／否定的アクノレッジメント（ＡＣＫ／ＮＡＣＫ）ビットおよびチャネル状態情報（ＣＳＩ）を備える、請求項２９に記載の方法。
【請求項３３】
前記現在の設定が、前記制御チャネルと前記共有チャネルとの同時送信を許可していると判定された場合、前記ＡＣＫ／ＮＡＣＫビットが前記制御チャネルで受信され、前記ＣＳＩが前記共有チャネルで受信される、請求項３２に記載の方法。
【請求項３４】
前記１または複数のチャネルを決定することは、前記ＡＣＫ／ＮＡＣＫビットと前記ＣＳＩとの同時送信のための前記ＵＥの現在の設定にさらに基づく、請求項３２に記載の方法。
【請求項３５】
前記制御チャネルで前記ＡＣＫ／ＮＡＣＫビットが受信され、前記共有チャネルで前記ＣＳＩが受信される、請求項３４に記載の方法。
【請求項３６】
前記決定することは、前記ＡＣＫ／ＮＡＣＫビットの数にさらに基づく、請求項３２に記載の方法。
【請求項３７】
前記制御情報を受信することは、単一のアップリンク・キャリアにおいて、前記制御チャネルで前記ＡＣＫ／ＮＡＣＫビットを、前記共有チャネルで前記ＣＳＩを受信することを備える、請求項３３に記載の方法。
【請求項３８】
前記制御情報を受信することは、
第１のアップリンク・キャリアにおいて前記制御チャネルで前記ＡＣＫ／ＮＡＣＫビットを受信することと、
第２のアップリンク・キャリアにおいて前記共有チャネルで前記ＣＳＩを受信することと
を備える、請求項３３に記載の方法。
【請求項３９】
前記ＡＣＫ／ＮＡＣＫビットが第１の制御チャネルで受信され、前記ＣＳＩが第２の制御チャネルで受信される、請求項３２に記載の方法。
【請求項４０】
前記制御情報を受信することは、
第１のＵＥアンテナからの送信で、前記制御チャネルで前記ＡＣＫ／ＮＡＣＫビットを受信することと、
第２のＵＥアンテナからの送信で、前記制御チャネルで前記ＣＳＩを受信することと
を備える、請求項３２に記載の方法。
【請求項４１】
前記制御情報は、アクノレッジメント／否定的アクノレッジメント（ＡＣＫ／ＮＡＣＫ）ビットのみを備え、
前記制御チャネルが、前記ＡＣＫ／ＮＡＣＫビットを送信するために選択される、請求項２９に記載の方法。
【請求項４２】
前記制御情報は、チャネル状態情報（ＣＳＩ）のみを備え、
前記制御チャネルが、前記ＣＳＩを送信するために選択される、請求項２９に記載の方法。
【請求項４３】
前記制御情報は、第１の優先度を持つ第１のタイプの制御情報と、前記第１の優先度よりも低い第２の優先度を持つ第２のタイプの制御情報とを備え、
前記第１のタイプの制御情報は、前記制御チャネルで受信され、前記第２のタイプの制御情報は、前記共有チャネルで受信される、請求項２９に記載の方法。
【請求項４４】
前記ＵＥから電力ヘッドルーム・レポートを受信することと、
前記ＵＥによる前記制御チャネルと前記共有チャネルとの同時送信のための現在の設定を、前記電力ヘッドルーム・レポートに基づいて決定することと、
をさらに備える請求項２９に記載の方法。
【請求項４５】
無線通信のための装置であって、
ユーザ機器（ＵＥ）による制御チャネルと共有チャネルとの同時送信のための現在の設定を決定する手段と、
サブフレームで前記ＵＥから制御情報を受信するためのチャネルの１または複数を決定する手段と、ここで、前記１または複数のチャネルは、前記制御チャネルと前記共有チャネルとの同時送信のための現在の設定と、前記制御情報のタイプとに基づいて決定される、
前記サブフレームにおいて、前記１または複数のチャネルで、前記制御情報を受信する手段と、
を備える装置。
【請求項４６】
前記サブフレームにおいて、前記共有チャネルでのデータ送信のために前記ＵＥがスケジュールされているか否かにさらに基づいて、前記１または複数のチャネルが決定される、請求項４５に記載の装置。
【請求項４７】
前記制御チャネルと前記共有チャネルとの両方を送信するための十分な送信電力を前記ＵＥが有しているか否かにさらに基づいて、前記１または複数のチャネルが決定される、請求項４５に記載の装置。
【請求項４８】
前記制御情報は、アクノレッジメント／否定的アクノレッジメント（ＡＣＫ／ＮＡＣＫ）ビットおよびチャネル状態情報（ＣＳＩ）を備える、
前記ＵＥによる前記ＡＣＫ／ＮＡＣＫビットと前記ＣＳＩとの同時送信のための現在の設定にさらに基づいて、前記１または複数のチャネルが選択される、請求項４５に記載の装置。
【請求項４９】
前記制御情報は、アクノレッジメント／否定的アクノレッジメント（ＡＣＫ／ＮＡＣＫ）ビットを備え、
前記１または複数のチャネルは、前記ＡＣＫ／ＮＡＣＫビットの数にさらに基づいて決定される、請求項４５に記載の装置。
【請求項５０】
無線通信のための装置であって、
ユーザ機器（ＵＥ）による制御チャネルと共有チャネルとの同時送信のための現在の設定を決定し、
サブフレームで前記ＵＥから制御情報を受信するためのチャネルの１または複数を決定し、ここで、前記１または複数のチャネルは、前記制御チャネルと前記共有チャネルとの同時送信のための現在の設定と、前記制御情報のタイプとに基づいて決定される、
前記サブフレームにおいて、前記１または複数のチャネルで、前記制御情報を受信する
ように構成された少なくとも１つのプロセッサと、
前記少なくとも１つのプロセッサに接続されたメモリと、
を備える装置。
【請求項５１】
前記少なくとも１つのプロセッサは、前記サブフレームにおいて、前記共有チャネルでのデータ送信のために前記ＵＥがスケジュールされているか否かにさらに基づいて、前記１または複数のチャネルを決定する、請求項５０に記載の装置。
【請求項５２】
前記少なくとも１つのプロセッサは、前記制御チャネルと前記共有チャネルとの両方を送信するための十分な送信電力を前記ＵＥが有しているか否かにさらに基づいて、前記１または複数のチャネルを決定する、請求項５０に記載の装置。
【請求項５３】
前記制御情報は、アクノレッジメント／否定的アクノレッジメント（ＡＣＫ／ＮＡＣＫ）ビットおよびチャネル状態情報（ＣＳＩ）を備え、
前記ＵＥによる前記ＡＣＫ／ＮＡＣＫビットと前記ＣＳＩとの同時送信のための現在の設定にさらに基づいて、前記１または複数のチャネルが決定される、請求項５０に記載の装置。
【請求項５４】
前記制御情報は、アクノレッジメント／否定的アクノレッジメント（ＡＣＫ／ＮＡＣＫ）ビットを備え、
前記１または複数のチャネルは、前記ＡＣＫ／ＮＡＣＫビットの数にさらに基づいて決定される、請求項５０に記載の装置。
【請求項５５】
コンピュータ・プログラム製品であって、
少なくとも１つのプロセッサに対して、ユーザ機器（ＵＥ）による制御チャネルと共有チャネルとの同時送信のための現在の設定を決定させるためのコードと、
前記少なくとも１つのプロセッサに対して、サブフレームで前記ＵＥから制御情報を受信するためのチャネルの１または複数を決定させるためのコードと、ここで、１または複数のチャネルは、前記制御チャネルと前記共有チャネルとの同時送信のための現在の設定と、前記制御情報のタイプとに基づいて決定される、
前記少なくとも１つのプロセッサに対して、前記サブフレームで前記１または複数のチャネルで前記制御情報を受信させるためのコードと、
を備える非一時的なコンピュータ読取可能な媒体
を備える、コンピュータ・プログラム製品。
【請求項５６】
無線通信のための方法であって、
サブフレームにおいて、物理アップリンク共有チャネル（ＰＵＳＣＨ）でのデータ送信のためにユーザ機器（ＵＥ）がスケジュールされていることを判定することと、
前記サブフレームにおいて送信すべきアクノレッジメント／否定的アクノレッジメント（ＡＣＫ／ＮＡＣＫ）およびチャネル状態情報（ＣＳＩ）を前記ＵＥが有していると判定することと、
前記サブフレームにおいて、物理アップリンク制御チャネル（ＰＵＣＣＨ）で前記ＡＣＫ／ＮＡＣＫを送信することと、
前記サブフレームにおいて、前記ＰＵＳＣＨで、前記ＣＳＩおよびデータを送信することと、
を備える方法。
【請求項５７】
前記ＰＵＣＣＨと前記ＰＵＳＣＨとの同時送信のために前記ＵＥが設定されていると判定することをさらに備える、請求項５６に記載の方法。
【請求項５８】
無線通信のための方法であって、
サブフレームにおいて、物理アップリンク共有チャネル（ＰＵＳＣＨ）でのデータ送信のためにユーザ機器（ＵＥ）がスケジュールされていると判定することと、
前記サブフレームにおいて送信すべきアクノレッジメント／否定的アクノレッジメント（ＡＣＫ／ＮＡＣＫ）およびチャネル状態情報（ＣＳＩ）を前記ＵＥが有していると判定することと、
前記サブフレームにおいて、物理アップリンク制御チャネル（ＰＵＣＣＨ）で前記ＡＣＫ／ＮＡＣＫを送信することと、
前記サブフレームにおいて、前記ＰＵＳＣＨで、前記ＣＳＩおよびデータを受信することと、
を備える方法。
【請求項５９】
前記ＰＵＣＣＨと前記ＰＵＳＣＨとの同時送信のために前記ＵＥが設定されていると判定することをさらに備える、請求項５８に記載の方法。
【発明の詳細な説明】
【優先権の主張】
【０００１】
本願は、本願の譲受人に譲渡され、本明細書において参照によって組み込まれている、「アップリンク・チャネルにおけるアップリンク制御情報の送信」（TRANSMISSION OF UPLINK CONTROL INFORMATION ON UPLINK CHANNELS）と題された、２０１０年５月７日出願の米国仮出願番号６１／３３２，５９８号に対する優先権を主張する。
【技術分野】
【０００２】
本開示は、一般に、通信に関し、さらに詳しくは、無線通信システムにおいて制御情報を送信するための技術に関する。
【背景技術】
【０００３】
無線通信システムは、例えば音声、ビデオ、パケット・データ、メッセージング、ブロードキャスト等のようなさまざまなサービスを提供するために広く開発された。これら無線システムは、システム・リソースを共有することにより、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含む。
【０００４】
無線通信システムは、多くのユーザ機器（ＵＥ）との通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【発明の概要】
【０００５】
本明細書では、制御情報を送信するアップリンク・チャネルを選択するための技術が記載される。ＵＥは、所与のサブフレームにおいて送信するために、複数のタイプの制御情報を有しうる。ＵＥはまた、サブフレームにおける使用のために利用可能な１または複数のアップリンク・チャネルをも有しうる。これらのチャネルは、同じアップリンク・キャリアに関連しうるか、あるいは、例えばマルチ・キャリア・モードにおいてＵＥが動作する場合のように異なるアップリンク・キャリアに関連しうる。ＵＥは、良好なパフォーマンスを達成するために、アップリンク・チャネルを選択し、異なる方式で、および、異なる基準にしたがって、制御情報を送信しうる。
【０００６】
１つの設計では、ＵＥは、制御チャネルおよび共有チャネルの同時送信のための現在の設定を決定しうる。ＵＥは、同じサブフレームにおいて、少なくとも１つのタイプの制御情報を送信するために、制御チャネルおよび共有チャネルから、１または複数のチャネルを選択しうる。本明細書で記載されるように、ＵＥは、（ｉ）送信する制御情報の少なくとも１つのタイプと、（ｉｉ）制御チャネルおよび共有チャネルの同時送信のための現在の設定と、（ｉｉｉ）サブフレームにおける共有チャネルでのデータ送信のために、ＵＥがスケジュールされているか否かと、（ｉｖ）サブフレームにおける制御チャネルおよび共有チャネルでの送信のために、ＵＥが十分な送信電力を有しているか否かと、（ｖ）異なるタイプの制御情報のＵＥによる同時送信のための現在の設定と、および／または、（ｖｉ）その他の基準と、に基づいて、１または複数のチャネルを選択しうる。ＵＥは、サブフレームにおいて、１または複数のチャネルで、制御情報を送信しうる。
【０００７】
制御情報は、アクノレッジメント／否定的アクノレッジメント（ＡＣＫ／ＮＡＣＫ）情報およびチャネル状態情報（ＣＳＩ）を備えうる。１つの設計では、ＵＥは、１または複数の基準に基づいて、ＡＣＫ／ＮＡＣＫ情報を送信するために制御チャネルと、ＣＳＩを送信するために共有チャネルと、を選択しうる。
【０００８】
１つの設計では、基地局は、ＵＥによる制御チャネルおよび共有チャネルの同時送信のための現在の設定を決定しうる。基地局は、サブフレームにおいて少なくとも１つのタイプの制御情報をＵＥから受信するための１または複数のチャネルを決定しうる。制御チャネルおよび共有チャネルから、１または複数の基準に基づいて、１または複数のチャネルが選択されうる。基地局は、制御情報を、サブフレームにおいて、ＵＥから、１または複数のチャネルで受信しうる。本開示のさまざまな態様および特徴が、以下にさらに詳細に記載される。
【図面の簡単な説明】
【０００９】
【図１】図１は、無線通信システムを示す。
【図２】図２は、典型的なフレーム構造を示す。
【図３】図３は、典型的なサブフレーム構造を示す。
【図４】図４は、ユーザ機器の動作モードの決定を示す。
【図５】図５は、制御チャネルおよび／または共有チャネルで制御情報を送信する処理を示す。
【図６】図６は、制御情報を送信する処理を示す。
【図７】図７は、制御情報を受信する処理を示す。
【図８】図８は、制御情報を送信する別の処理を示す。
【図９】図９は、制御情報を受信する別の処理を示す。
【図１０】図１０は、基地局およびユーザ機器のブロック図を示す。
【図１１】図１１は、基地局およびユーザ機器の別のブロック図を示す。
【発明を実施するための形態】
【００１０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。
【００１１】
ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書に記載された技術は、他のシステムおよびラジオ技術と同様に、上述されたシステムおよびラジオ技術のために使用されうる。明確化のために、これら技術のある態様は、以下において、ＬＴＥに関して記載されており、ＬＴＥ用語が以下の説明の多くで使用される。
【００１２】
図１は、ＬＴＥシステムまたはその他のあるシステムでありうる無線通信システム１００を示す。システム１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢ１１０は、特定の地理的領域のための有効通信範囲を提供し、有効通信範囲エリア内に位置するＵＥのための通信をサポートしうる。システム容量を改善するために、ｅＮＢの有効通信範囲全体が、多数（例えば３つ）の、より小さなエリアへ分割されうる。小さなエリアおのおのは、それぞれのｅＮＢサブシステムによってサービス提供されうる。３ＧＰＰでは、用語「セル」は、この有効通信範囲エリアにサービス提供しているｅＮＢおよび／またはｅＮＢサブシステムの有効通信範囲エリアを称しうる。
【００１３】
ネットワーク・コントローラ１３０は、ｅＮＢのセットに接続しており、これらｅＮＢに対して調整および制御を提供しうる。ネットワーク・コントローラ１３０は、モビリティ管理エンティティおよび／またはその他のあるネットワーク・エンティティを含みうる。
【００１４】
ＵＥ１２０は、システムの全体にわたって分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック、タブレット等でありうる。
【００１５】
システム１００は、信頼度を改善するために、ハイブリッド自動再送信（ＨＡＲＱ）を用いてデータの送信をサポートしうる。ＨＡＲＱの場合、（例えば、ｅＮＢのような）送信機は、データのパケットの最初の送信を送り、必要であれば、パケットが（例えば、ＵＥのような）受信機によって正しく復号されるまで、または、最大数のパケットの送信が生じるまで、または、その他いくつかの終了条件に遭遇するまで、１または複数の追加のパケットの送信を送りうる。パケットの各送信の後、受信機は、パケットの復元を試みるために、受信したすべてのパケットの送信を復号しうる。受信機は、パケットが正しく復号された場合、アクノレッジメント（ＡＣＫ）情報を送信するか、または、パケットが誤って復号された場合、否定的アクノレッジメント（ＮＡＣＫ）情報を送信しうる。送信機は、ＮＡＣＫが受信された場合、パケットの別の送信を送り、ＡＣＫが受信された場合、パケットの送信を終了しうる。本明細書における記載では、１または複数のパケットに関する１または複数のＡＣＫ、および／または、１または複数のＮＡＣＫは、ＡＣＫ／ＮＡＣＫ、ＡＣＫ／ＮＡＣＫ情報、またはＡＣＫ／ＮＡＣＫビットと称されうる。パケットはまた、伝送ブロック、コードワード等とも称されうる。
【００１６】
システム１００は、ダウンリンクおよびアップリンクのおのおのについて、単一のキャリアまたは複数のキャリアにおける動作をサポートしうる。キャリアは、通信のために使用される周波数範囲を称し、ある特性に関連付けられうる。例えば、キャリアは、キャリアにおける動作を記述するシステム情報に関連付けられうる。キャリアはまた、成分キャリア（ＣＣ）、周波数チャネル、セル等とも称されうる。各キャリアは、通信のために、１または複数のＵＥに割り当て可能でありうる。複数のキャリアにおける動作はまた、キャリア・アグリゲーションまたはマルチ・キャリア動作とも称されうる。ＵＥは、ｅＮＢとの通信のために、ダウンリンクについて１または複数のキャリア（すなわち、ダウンリンク・キャリア）で動作し、アップリンクについて１または複数のキャリア（すなわち、アップリンク・キャリア）で動作しうる。
【００１７】
システム１００は、周波数分割デュプレクス（ＴＤＤ）または時分割デュプレクス（ＦＤＤ）を利用しうる。ＦＤＤの場合、ダウンリンクおよびアップリンクは、個別の周波数チャネルを割り当てられる。周波数チャネルは、キャリア、または、周波数のその他いくつかの範囲に対応しうる。ダウンリンク送信およびアップリンク送信は、２つの周波数チャネルで同時に送信されうる。ＴＤＤの場合、ダウンリンクおよびアップリンクは、同じ周波数チャネルを共有する。ダウンリンク送信およびアップリンク送信は、異なる時間インタバルで、同じ周波数チャネルで送信されうる。
【００１８】
図２は、ＬＴＥにおける、ＦＤＤのためのフレーム構造２００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００１９】
ＬＴＥは、ＦＤＤとＴＤＤとの両方のために、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、周波数範囲を、一般にトーン、ビン等とも称される複数（ＮＦＦＴ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（ＮＦＦＴ）は、システム帯域幅に依存しうる。例えば、サブキャリア間隔は、１５キロヘルツ（ｋＨｚ）でありうり、ＮＦＦＴは、１．２５，２．５，５，１０，２０メガヘルツ（ＭＨｚ）のシステム帯域幅についてそれぞれ１２８，２５６，５１２，１０２４，２０４８にそれぞれ等しい。
【００２０】
ダウンリンクおよびアップリンクのおのおのために利用可能な時間周波数リソースは、リソース・ブロックに分割されうる。おのおののリソース・ブロックは、１つのスロットにおいて１２のサブキャリアをカバーしうる。おのおののスロットにおけるリソース・ブロックの数は、システム帯域幅に依存しうる。そして、１．２５乃至２０ＭＨｚのシステム帯域幅について、６乃至１１０に及びうる。おのおののリソース・ブロックは、多くのリソース要素を含みうる。おのおののリソース要素は、１つのシンボル期間において１つのサブキャリアをカバーし、実数値または複素数値である１つの変調シンボルを送信するために使用されうる。
【００２１】
図３は、ＬＴＥにおけるアップリンクのためのサブフレーム構造３００を示す。アップリンクのための各サブフレームは、周波数分割多重（ＦＤＭ）されうる制御領域およびデータ領域を含みうる。制御領域は、システム帯域幅の２つの端部において形成され、ＵＥによってアップリンクで送信されている制御情報の量に基づいて選択されうる設定可能なサイズを有しうる。データ領域は、制御領域によってカバーされていない残りの周波数を含みうる。
【００２２】
ＵＥ１２０は、ｅＮＢへ制御情報を送信するために、サブフレームｔ１の制御領域において、リソース・ブロック３１０ａ，３１０ｂを割り当てられうる。ＵＥ１２０は、制御領域において割り当てられたリソース・ブロック３１０ａ，３１０ｂで、物理アップリンク制御チャネル（ＰＵＣＣＨ）で制御情報を送信しうる。ＵＥ１２０はまた、ｅＮＢ１１０へデータを送信するために、サブフレームｔ２のデータ領域において、リソース・ブロック３２０ａ，３２０ｂを割り当てられうる。ＵＥ１２０は、データ領域において割り当てられたリソース・ブロック３２０ａ，３２０ｂで、物理アップリンク共有チャネル（ＰＵＳＣＨ）で、データのみ、または、データと制御情報との両方を送信しうる。ＵＥ１２０は、ｅＮＢ１１０へ制御情報およびデータを送信するために、サブフレームｔ３におけるデータ領域においてリソース・ブロック３４０ａ，３４０ｂを、制御領域においてリソース・ブロック３３０ａ，３３０ｂを割り当てられうる。ＵＥ１２０は、制御領域において割り当てられたリソース・ブロック３３０ａ，３３０ｂにおけるＰＵＣＣＨで、いくつかまたはすべての制御情報を送信しうる。ＵＥ１２０は、データ領域において割り当てられたリソース・ブロック３４０ａ，３４０ｂにおけるＰＵＳＣＨで、すべてまたはいくつかの制御情報を送信しうるか、または、制御情報をまったく送信しない。
【００２３】
図３に示すように、アップリンク送信は、サブフレームの両スロットに及び、周波数を越えてホップしうる。ＵＥ１２０は、低いピーク対平均電力比（ＰＡＰＲ）を有しうる単一キャリア波形を得るために、（例えば、サブフレームｔ１およびサブフレームｔ２のおのおのにおけるように、）サブフレームの各シンボル期間において、隣接したサブキャリアのセットにおいて送信しうる。ＵＥ１２０は、より高い送信キャパシティを得るために、（例えば、サブフレームｔ３のような）サブフレームの各シンボル期間において、隣接したサブキャリアの複数のセットにおいて送信しうる。
【００２４】
ＵＥ１２０は、例えばＨＡＲＱを用いてダウンリンクで送られたデータ送信に関するＡＣＫ／ＮＡＫＣ、ｅＮＢからＵＥへの通信チャネルに関するチャネル状態情報（ＣＳＩ）、アップリンクにおけるデータ送信のためのリソースを要求するスケジューリング要求（ＳＲ）、アップリンクで送信するデータの量を示すバッファ・ステータス・レポート（ＢＳＲ）、その他いくつかの情報、またはこれらの組み合わせ、のようなさまざまなタイプの制御情報を送信しうる。ＣＳＩは、チャネル品質インジケータ（ＣＱＩ）、プリコーディング行列インジケータ（ＰＭＩ）、ランク・インジケータ（ＲＩ）、またはこれらの組み合わせを含みうる。ＲＩは、ＵＥへの複数入力複数出力（ＭＩＭＯ）データ送信のために使用するレイヤ（または、空間チャネル）の数を示しうる。ＰＭＩは、ＵＥへの送信前に、データをプリコードするために使用するプリコーディング行列またはベクトルを示しうる。ＣＱＩは、ＵＥへ送信するための少なくとも１つのパケットのおのおののチャネル品質を示しうる。
【００２５】
ＵＥ１２０は、アクノレッジされるべきパケット（または伝送ブロック）の数に依存して、１または複数のビットのＡＣＫ／ＮＡＣＫを送信しうる。ＵＥ１２０は、単一のキャリアで受信された単一のパケットについて、１ビットのＡＣＫ／ＮＡＣＫを、単一のサブフレームで送信しうる。ＵＥ１２０は、（マルチ・キャリア動作のために、）複数のキャリアで受信された複数のパケットについて、複数のビットからなるＡＣＫ／ＮＡＣＫを、（ＴＤＤの場合）複数のサブフレームで、（ＭＩＭＯの場合）複数のレイヤで、またはこれらの組み合わせで送信しうる。ＵＥ１２０は、１または複数のダウンリンク・キャリアに関するＣＳＩを、ｅＮＢへ定期的に送信するように構成されうる。ＵＥ１２０はまた、ｅＮＢ１１０によって要求された場合には常に、１または複数のダウンリンク・キャリアに関するＣＳＩを送信しうる。
【００２６】
ＵＥ１２０は、所与のサブフレームにおける送信のための、１または複数のタイプの制御情報を有しうる。ＵＥ１２０は、利用可能な多くのＰＵＣＣＨフォーマットのうちの１つを用いて、ＰＵＣＣＨで制御情報を送信しうる。表１は、ＬＴＥリリース８でサポートされているいくつかのＰＵＣＣＨフォーマットをリストしている。  
【表１】
2014239480.tif 000003
【００２７】
表１におけるＰＵＣＣＨフォーマットと、ＬＴＥにおけるさまざまなチャネルおよび信号は、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００２８】
ＵＥ１２０は、パフォーマンスを改善するためのさまざまな機能をサポートしうる。例えば、ＵＥは、以下の機能のうちの１または複数をサポートしうる。  
・ＭＩＭＯ送信  −  ＵＥにおける複数のアンテナ、および、ｅＮＢにおける複数のアンテナによって形成された複数のレイヤにおけるデータ送信。  
・送信ダイバーシティ  −  信頼性を向上するための、複数の送信アンテナからのデータ送信。  
・マルチ・キャリア動作  −  ダウンリンクおよび／またはアップリンクにおける複数のキャリアでのデータ送信。  
・クラスタ・データ送信  −  サブキャリアの複数の非隣接セットにおけるデータ送信。  
・同時ＰＵＳＣＨおよびＰＵＣＣＨ  −  同じサブフレームにおけるＰＵＳＣＨとＰＵＣＣＨとの両方の送信。  
ＵＥ１２０はまた、パフォーマンスを向上しうるその他の機能をもサポートしうる。
【００２９】
１つの設計では、ＵＥ１２０は、所与の瞬間において、サポートされているいくつかの動作モードのうちの１つで動作しうる。例えば、ＵＥ１２０は、表２にリストされた動作モードのうちの１または複数をサポートしうる。  
【表２】
2014239480.tif 000004
【００３０】
基本モードはまた、ＬＴＥリリース８／９（Ｒｅｌ−８／９）モードとも称されうる。エンハンスト・モードはまた、ＬＴＥリリース１０（Ｒｅｌ−１０）モードとも称されうる。単一キャリア（ＳＣ）制約は、低いＰＡＰＲを有する単一キャリア波形を維持するために、隣接したサブキャリアで送信するための必要性を称する。ＵＥ１２０は、単一キャリア制約を持つ隣接したサブキャリア（例えば、ＰＵＣＣＨのみ、またはＰＵＳＣＨのみ）で送信するように構成されうる。さらに、単一キャリア制約無しで非隣接のサブキャリア（例えば、ＰＵＣＣＨとＰＵＳＣＨとの両方）で送信するようにも構成されうる。
【００３１】
１つの設計では、ＵＥ１２０は、サポートされている動作モードのうちの１つで動作するように設定されうる。この設定は、例えばｅＮＢ１１０からのラジオ・リソース制御（ＲＲＣ）シグナリングのような上位レイヤ・シグナリングによってＵＥ１２０へ伝送されうる。例えば、ＵＥ１２０の機能、ＵＥ１２０において利用可能な送信電力等のようなさまざまな基準に基づいて、ＵＥ１２０のために、適切な動作モードが選択されうる。例えば、ＵＥ１２０は、ＵＥ１２０によって使用されている現在の送信電力に対する、ＵＥ１２０において利用可能な送信電力量を示す電力ヘッドルーム（ＰＨＲ）レポートを送信しうる。ＵＥ１２０が最大送信電力に達していることをＰＨＲレポートが示す場合には、ＵＥ１２０は、基本モードで動作するように設定されうる。
【００３２】
ＵＥ１２０は、表２にリストされた動作モードのうちの何れか１つで動作可能でありうる。ＵＥ１２０は、エンハンスト・モードで動作するように設定され、エンハンスト・モードによってサポートされている機能を利用しうる。ＵＥ１２０はまた、如何なる理由であれ、基本モードで動作するように設定されうる。その後、ＵＥ１２０は、ＬＴＥ  Ｒｅｌ−８／９  ＵＥとして振る舞い、ＬＴＥリリース８／９によってサポートされている機能を利用しうる。
【００３３】
図４は、ＵＥの動作モードを決定するための１つの設計を例示する図解４００を示す。ＵＥは、エンハンスト・モード（ブロック４１４）または基本モード（ブロック４１８）で動作するように（例えば、ブロック４１２におけるＲＲＣシグナリングによって）設定されうる。ＵＥが、エンハンスト・モードで動作するように設定され、電力制限されていない（ブロック４１８）のであれば、ＵＥは、サポートされている機能のすべてを利用しうる。
【００３４】
ＵＥは、エンハンスト・モードにおける動作のために設定され、電力制限されている（ブロック４２０）のであれば、さまざまな方式で、電力制限シナリオに対処しうる。第１の設計では、ＵＥは、異なるチャネルの優先度に基づいて、電力スケーリングを実行しうる（ブロック４２２）。ＵＥは先ず、ターゲット・パフォーマンス要求を満足するために、より高い優先度のチャネルへ、可能な限り多くの送信電力を割り当てうる。ＵＥは、より低い優先度の別のチャネルへ、残りの送信電力を割り当てうる。第２の設計では、ＵＥは、アップリンクにおけるマルチ・キャリア動作のために設定されているのであれば、別のキャリアの優先度に基づいて、電力スケーリングを実行しうる（ブロック４２４）。例えば、ＵＥはまず、より高い優先度のキャリアのＰＵＳＣＨへ送信電力を割り当てうる。そして、より低い優先度の別のキャリアのＰＵＳＣＨへ残りの送信電力を割り当てうる。
【００３５】
電力制限シナリオに対処する別の設計では、ＵＥは、単一キャリア制約の無いエンハンスト・モードに設定されているのであれば、スケジュールされた送信電力に基づいて、ＰＵＣＣＨとＰＵＳＣＨとを同時に送信するか否かを判定しうる。この場合、ＵＥは、電力制限されていないのであれば、所与のサブフレームにおいてＰＵＳＣＨとＰＵＣＣＨとの両方を送信しうる。そして、電力制限されているのであれば、ＰＵＣＣＨのみ、またはＰＵＳＣＨのみを送信しうる。いくつかの場合には、ｅＮＢは、ＵＥがＰＵＣＣＨのみを送信するか、ＰＵＳＣＨのみを送信するか、またはＰＵＣＣＨとＰＵＳＣＨとの両方を送信するかを認識しないことがありうる。ｅＮＢは、これら３つの場合のためにブラインド復号手順を実行し、このブラインド復号に結果に基づいて、ＰＵＣＣＨおよび／またはＰＵＳＣＨにおける制御情報を取得しうる。
【００３６】
１つの設計では、ＵＥは、ＵＥにおける送信電力制限を示す電力ヘッドルーム・レポートを送信しうる（ブロック４２６）。ＵＥは、電力ヘッドルーム・レポートを定期的に、または、例えばＵＥが高送信電力しきい値に達した場合のようなイベントによってトリガされた場合には、常に送信しうる。ＵＥが電力制限されていることを電力ヘッドルーム・レポートが示す場合、ＵＥは、基本モードで、または、単一キャリア制約付きのエンハンスト・モードで動作するように、ｅＮＢによって再設定されうる。
【００３７】
図４は、ＵＥの動作モードを決定する典型的な設計を示す。ＵＥの動作モードは、別の方式でも決定されうる。一般に、任意の数の動作モードがサポートされうる。ＵＥは、現在の設定においてサポートされている動作モードのうちの１つで動作するように設定されており、さまざまな基準に基づいて、別の動作モードで動作するように再設定されうる。
【００３８】
ＵＥは、所与のサブフレームにおいて、データのみを送信するか、制御情報のみを送信するか、または、データと制御情報との両方を送信しうる。ＵＥはまた、所与のサブフレームにおいて、ＡＣＫ／ＮＡＣＫ、ＣＱＩ、ＰＭＩ、ＲＩ等のうちの何れか１つまたは任意の組み合わせを含みうる１または複数のタイプの制御情報を送信しうる。ＵＥはまた、１または複数のビットのＡＣＫ／ＮＡＣＫを送信しうる。
【００３９】
ＵＥは、所与のサブフレームにおいて、ＰＵＣＣＨのみ、ＰＵＳＣＨのみ、または、ＰＵＣＣＨとＰＵＳＣＨとの両方を送信しうる。ＵＥが所与のサブフレームにおいてＰＵＣＣＨおよび／またはＰＵＳＣＨを送信するか否かは、以下の基準のうちの１または複数に依存しうる。  
１．ＵＥが、ＰＵＣＣＨおよびＰＵＳＣＨの同時送信のために設定されているか否か。  
２．ＵＥが、ＰＵＳＣＨにおけるデータ送信のためにスケジュールされているか否か。  
３．ＵＥが、ＰＵＣＣＨとＰＵＳＣＨとの両方のための十分な送信電力を有しているか否か。
【００４０】
基準１の場合、ＵＥは、例えば、単一キャリア制約の無いエンハンスト・モードにおける動作のために設定されているのであれば、ＰＵＳＣＨとＰＵＣＣＨとの同時送信のために設定されうる。同様に、ＵＥは、基本モード、または、単一キャリア制約の有るエンハンスト・モードにおける動作のために設定されているのであれば、ＰＵＳＣＨとＰＵＣＣＨとを同時に送信しないことがありうる。基準２の場合、ＵＥは、アップリンクでのデータ送信のためにスケジュールされているのであれば、ＰＵＳＣＨのみを送信しうる。ＵＥは、アップリンクでのデータ送信のためにスケジュールされていないのであれば、ＰＵＣＣＨのみを送信しうる。基準３の場合、ＵＥは、十分な送信電力を有するのであれば、ＰＵＣＣＨとＰＵＳＣＨとの両方を送信しうる。ＵＥは、不十分な送信電力しか有していないのであれば、ＰＵＣＣＨのみ（またはＰＵＳＣＨのみ）を送信しうる。ＵＥは、基準１および基準２が満足されているか否かを、システムからの情報に基づいて判定しうる。ＵＥは、基準３が満足されているか否かを、電力ヘッドルームに基づいて判定しうる。
【００４１】
１つの設計では、ＵＥは、所与のサブフレームにおいてＰＵＣＣＨおよび／またはＰＵＳＣＨを送信すべきか否かを、上述した基準１，２，３に基づいて判定しうる。１つの設計では、ＵＥが、ＰＵＳＣＨとＰＵＣＣＨとの同時送信のために設定されており、かつ、サブフレームにおけるＰＵＳＣＨでのデータ送信のためにスケジュールされているのであれば、ＵＥは、サブフレームにおいてＰＵＣＣＨとＰＵＳＣＨとの両方を送信しうる。ＵＥが、ＰＵＳＣＨとＰＵＣＣＨとの同時送信のために設定されていないが、サブフレームにおけるＰＵＳＣＨでのデータ送信のためにスケジュールされているのであれば、サブフレームにおいて、ＰＵＳＣＨのみを送信しうる。ＵＥが、サブフレームにおいて、ＰＵＳＣＨでのデータ送信のためにスケジュールされていないのであれば、ＵＥは、サブフレームにおいてＰＵＣＣＨのみを送信しうる。ＵＥはさらに、その他の基準に基づいて、所与のサブフレームにおいて、ＰＵＣＣＨのみ、またはＰＵＳＣＨのみ、またはＰＵＣＣＨとＰＵＳＣＨとの両方を送信しうる。
【００４２】
ＵＥは、所与のサブフレームにおいて送信する、少なくとも１つのタイプの制御情報を有しうる。制御情報は、１または複数の成分キャリアに関連しうる。ＵＥは、例えば、上述した基準１，２，３によって判定されるように、サブフレームにおいて、ＰＵＣＣＨのみ、またはＰＵＳＣＨのみ、またはＰＵＣＣＨとＰＵＳＣＨとの両方を送信しうる。ＵＥは、基準１、基準２、および／または基準３に基づいて、および、恐らくはさらに以下のうちの１または複数に基づいて、各タイプの制御情報を、ＰＵＣＣＨで送信するか、またはＰＵＳＣＨで送信するか、を判定しうる。  
１．ＵＥが、ＰＵＣＣＨでＡＣＫ／ＮＡＣＫおよびＣＳＩを同時に送信するように設定されているか否か。  
２．ＵＥによって送信されるＡＣＫ／ＮＡＣＫのビット数。  
ＵＥはまた、その他の基準に基づいて、各タイプの制御情報を、ＰＵＣＣＨで送信するか、またはＰＵＳＣＨで送信するか、を判定しうる。
【００４３】
少なくとも１つの利用可能なチャネルにおいて、少なくとも１つのタイプの制御情報を送信するための典型的な設計が、以下に記載される。第１のケースでは、ＵＥは、ＰＵＳＣＨでのデータ送信のためにスケジュールされていないのであれば、ＰＵＣＣＨのみを送信しうる。この場合、ＵＥは、ＰＵＣＣＨで、すべての制御情報を送信しうる。第２のケースでは、ＵＥは、ＰＵＳＣＨにおけるデータ送信のためにスケジュールされていないが、ＰＵＣＣＨおよびＰＵＳＣＨの同時送信のために設定されていないのであれば、ＰＵＳＣＨのみを送信しうる。この場合、ＵＥは、ＰＵＳＣＨで、すべての制御情報およびデータを送信しうる。第３のケースでは、ＵＥは、ＰＵＣＣＨにおける同時送信のために設定され、ＰＵＳＣＨにおけるデータ送信のためにも設定されているのであれば、ＰＵＣＣＨとＰＵＳＣＨとの両方を送信しうる。この場合、ＵＥは、さまざまな方式で、ＰＵＣＣＨおよび／またはＰＵＳＣＨで制御情報を送信しうる。
【００４４】
第３のケースの１つ設計では、制御情報は、ＡＣＫ／ＮＡＣＫのみを含み、ＵＥは、ＰＵＣＣＨでＡＣＫ／ＮＡＣＫを送信し、ＰＵＳＣＨでデータを送信しうる。ＡＣＫ／ＮＡＣＫは、１または複数のビットを含みうる。ＵＥは、送信すべきＡＣＫ／ＮＡＣＫのビット数に依存して異なるＰＵＣＣＨフォーマットを用いて、ＡＣＫ／ＮＡＣＫを送信しうる。例えば、ＵＥは、ＰＵＣＣＨフォーマット１ａを用いて１ビットのＡＣＫ／ＮＡＣＫを、ＰＵＣＣＨフォーマット１ｂを用いて２ビットのＡＣＫ／ＮＡＣＫを、または、その他いくつかのＰＵＣＣＨフォーマットを用いて３ビット以上のＡＣＫ／ＮＡＣＫを送信しうる。
【００４５】
第３のケースの別の設計では、制御情報は、ＣＳＩのみを含み、ＵＥが、ＰＵＣＣＨでＣＳＩを送信し、ＰＵＳＣＨでデータを送信しうる。ＣＳＩは、ＣＱＩのみを含むか、ＰＭＩのみを含むか、ＲＩのみを含むか、ＣＱＩとＰＭＩとＲＩとからなる任意の組み合わせを含みうる。ＵＥは、ＣＳＩの全ビットを伝送しうる適切なＰＵＣＣＨフォーマット（例えば、ＰＵＣＣＨフォーマット２）を用いて、ＰＵＣＣＨでＣＳＩを送信しうる。
【００４６】
第３のケースのさらに別の設計では、制御情報は、ＡＣＫ／ＮＡＣＫとＣＳＩとの両方を含み、ＵＥはＰＵＣＣＨでＡＣＫ／ＮＡＣＫを送信し、ＰＵＳＣＨでＣＳＩおよびデータを送信しうる。１つの設計では、ＵＥは、ＰＵＣＣＨで任意のビット数のＡＣＫ／ＮＡＣＫを送信し、送信するビット数に依存して、適切なＰＵＣＣＨフォーマットを使用しうる。ＵＥはまた、ＰＵＳＣＨにおいてＣＳＩとともに、またはＰＵＣＣＨにおいてＡＣＫ／ＮＡＣＫとともに、１または複数のその他のタイプの制御情報（例えば、バッファ・ステータス・レポート）を送信しうる。
【００４７】
第３のケースのさらに別の設計では、制御情報は、ＡＣＫ／ＮＡＣＫとＣＳＩとの両方を含み、ＵＥが、Simultaneous-AN-and-CQIパラメータに依存して、別の方式で制御情報を送信しうる。Simultaneous-AN-and-CQIパラメータは、ＡＣＫ／ＮＡＣＫおよびＣＳＩを共に送信するか、または、別々に送信しうるかを示し、（例えば、ＲＲＣのような）上位レイヤによって、ＵＥのために設定されうる。Simultaneous-AN-and-CQIパラメータが「真」であれば、ＵＥは、（例えばＰＵＣＣＨフォーマット２ａ／２ｂを用いて）ＰＵＣＣＨでＡＣＫ／ＮＡＣＫおよびＣＳＩの両方を送信し、ＰＵＳＣＨでデータを送信しうる。逆に、Simultaneous-AN-and-CQIパラメータが「偽」に設定されていれば、ＵＥは、（例えば、ＰＵＣＣＨフォーマット１ａ／１ｂを用いて）ＰＵＣＣＨでＡＣＫ／ＮＡＣＫを送信し、ＰＵＳＣＨでＣＳＩおよびデータを送信しうる。この設計は、任意のビット数のＡＣＫ／ＮＡＣＫを送信するために使用され、ＵＥは、送信するＡＣＫ／ＮＡＣＫのビット数と、ＣＳＩもまたＰＵＣＣＨで送信されるか否かに依存して、ＰＵＣＣＨのための適切なフォーマットを使用しうる。あるいは、この設計は、予め定められたビット数（例えば、１ビットまたは２ビット）のＡＣＫ／ＮＡＣＫまで使用され、予め定められた数よりも多いビット数（例えば、３ビット以上）のＡＣＫ／ＮＡＣＫを送信すべき場合、ＰＵＣＣＨでＡＣＫ／ＮＡＣＫのみが送信されうる。
【００４８】
表３は、サブフレームにおいて制御情報を送信するための、上述した第１、第２、および第３のケースのさまざまな設計を要約する。少なくとも１つのタイプの制御情報は、ＰＵＣＣＨおよび／またはＰＵＳＣＨにおいて、その他の方式でも送信されうる。送信する制御情報は、１または複数のキャリアに関連しうる。さらに、ＰＵＣＣＨおよびＰＵＳＣＨは、同じまたは異なるアップリンク・キャリアに対応しうる。一例において、表３に示す設計は、ＵＥが、エンハンスト・モードにおける動作のために設定されている場合に使用されうる。  
【表３】
2014239480.tif 000005
【００４９】
図５は、ＰＵＣＣＨおよび／またはＰＵＳＣＨで制御情報を送信する設計を示す。ＵＥは、同じアップリンク・サブフレームで送信する少なくとも１つのタイプの制御情報をＵＥが有しているかを判定しうる（ブロック５１０）。ＵＥはさらに、サブフレームにおけるＰＵＳＣＨでのデータ送信のためにＵＥがスケジュールされているかを判定しうる（ブロック５１２）。ＵＥは、サブフレームにおけるＰＵＳＣＨでのデータ送信のためにＵＥがスケジュールされていないと判定する（「Ｎｏ」）と、サブフレームにおいて、ＰＵＣＣＨで制御情報を送信しうる（ブロック５２２）。
【００５０】
ＵＥが、サブフレームにおけるＰＵＳＣＨでのデータ送信のためにスケジュールされている（ブロック５１２の「Ｙｅｓ」）のであれば、ＵＥは、ＵＥがＰＵＣＣＨおよびＰＵＳＣＨの同時送信のために設定されているか否かを判定しうる（ブロック５１４）。答えが「Ｎｏ」である場合、ＵＥは、サブフレームにおいて、ＰＵＳＣＨで、制御情報およびデータを送信しうる（ブロック５２４）。
【００５１】
ＵＥが、サブフレームにおけるＰＵＳＣＨでのデータ送信のためにスケジュールされ、かつ、ＰＵＣＣＨおよびＰＵＳＣＨの同時送信のために設定されている（ブロック５１２およびブロック５１４の「Ｙｅｓ」）場合、ＵＥは、サブフレームにおいて送信すべきＡＣＫ／ＮＡＣＫとＣＳＩとの両方を有しているか否かを判定しうる（ブロック５１６）。この答えが「Ｙｅｓ」である場合、ＵＥは、ＰＵＣＣＨでＡＣＫ／ＮＡＣＫを送信し、ＰＵＳＣＨでＣＳＩおよびデータを送信しうる（ブロック５２６）。一方、ブロック５１６の答えが「Ｎｏ」である場合、ＵＥは、サブフレームにおいて送信すべきものとして、ＵＥがＡＣＫ／ＮＡＣＫのみを有するか、または、ＣＳＩのみを有するかを判定しうる（ブロック５１８）。答えが「Ｙｅｓ」である場合、ＵＥは、ＰＵＣＣＨでＡＣＫ／ＮＡＫまたはＣＳＩを送信し、ＰＵＳＣＨでデータを送信しうる（ブロック５２８）。
【００５２】
図５は、表３の一部を実施する典型的な設計を示す。ＵＥはまた、エンハンスト・モードにおいて、別の方式で、ＰＵＣＣＨのみで、または、ＰＵＣＣＨとＰＵＳＣＨとの両方で、ＡＣＫ／ＮＡＣＫおよびＣＳＩを送信しうる。いくつかの例が、以下に記載されている。
【００５３】
ＵＥは、ＰＵＳＣＨでのデータ送信のためにスケジュールされていない場合、ＰＵＣＣＨでＡＣＫ／ＮＡＣＫおよびＣＳＩを送信しうる。ＵＥは、ＰＵＣＣＨフォーマット２ａ／２ｂを用いて、ＰＵＣＣＨで、１ビットのＡＣＫ／ＮＡＣＫおよびＣＳＩを送信しうる。ＵＥは、さまざまな方式で、複数ビットのＡＣＫ／ＮＡＣＫおよびＣＳＩを送信しうる。１つの設計では、ＵＥは、複数ビットのＡＣＫ／ＮＡＣＫおよびＣＳＩを伝送することが可能な適切なＰＵＣＣＨフォーマットを用いて、ＰＵＣＣＨでマルチ・ビットＡＣＫ／ＮＡＣＫおよびＣＳＩを送信しうる。別の設計では、ＵＥは、複数のＰＵＣＣＨで、マルチ・ビットＡＣＫ／ＮＡＣＫおよびＣＳＩを送信しうる。例えば、ＵＥは、１つのＰＵＣＣＨでＡＣＫ／ＮＡＣＫを送信し、別のＰＵＣＣＨでＣＳＩを送信しうる。また別の設計では、ＵＥは、複数のアンテナによって、マルチ・ビットＡＣＫ／ＮＡＣＫおよびＣＳＩを送信しうる。例えば、ＵＥは、アンテナと電力増幅器の１つのセットを用いて、ＰＵＣＣＨでＡＣＫ／ＮＡＣＫを送信し、アンテナと電力増幅器の別のセットを用いて、ＰＵＣＣＨでＣＳＩを送信しうる。ＵＥは、各アンテナのために単一キャリア制約を維持することができる。ＵＥにおいて、異なるアンテナ間で利得不均衡が存在しうる。より低い利得の弱いアンテナにおけるＰＵＣＣＨの信頼できる送信は、アンテナ毎の電力制御またはその他いくつかの手法を用いることによって達成されうる。
【００５４】
また別の設計では、ＵＥは、ＰＵＣＣＨでマルチ・ビットＡＣＫ／ＮＡＣＫのみを送信し、ＣＳＩを落とすことがありうる。
【００５５】
ＵＥがＰＵＳＣＨにおけるデータ送信のためにスケジュールされている場合、ＵＥは、ＰＵＣＣＨおよび／またはＰＵＳＣＨでＡＣＫ／ＮＡＣＫおよびＣＳＩを送信しうる。１つの設計では、ＵＥは、ＰＵＣＣＨで（例えば、ＡＣＫ／ＮＡＣＫおよび／またはＳＲのような）最高の優先度を持つタイプの制御情報を送信しうる。ＵＥは、ＰＵＳＣＨで、（例えば、ＣＳＩのような）より低い優先度を持つ別のタイプの制御情報を、データとともに送信しうる。１つの設計では、ＵＥは、特定のキャリアで制御情報を送信しうる。
【００５６】
ＵＥは、アップリンクのための複数のキャリア（すなわち、アップリンク・キャリア）を割り当てられうる。１つの設計では、１つのアップリンク・キャリアが、アップリンク・アンカ・キャリアとして指定されうる。１つの設計では、ＵＥは、アップリンク・アンカ・キャリアでＰＵＣＣＨを送信し、データ送信のためにＵＥがスケジュールされている何れかのアップリンク・キャリアでＰＵＳＣＨを送信しうる。１つの設計では、ＵＥがアップリンク・アンカ・キャリアでスケジュールされているのであれば、ＵＥは、このキャリアで、ＰＵＣＣＨとＰＵＳＣＨとの両方を送信しうる。この場合、ＵＥは、ＰＵＣＣＨでＡＣＫ／ＮＡＣＫを送信し、ＰＵＳＣＨでＣＳＩおよびデータを送信しうる。ＵＥが、アップリンク・アンカ・キャリアではないアップリンク・キャリアにスケジュールされているのであれば、ＵＥは、アップリンク・アンカ・キャリアで、ＰＵＣＣＨでＡＣＫ／ＮＡＣＫを送信し、スケジュールされたアップリンク・キャリアで、ＰＵＳＣＨでＣＳＩおよびデータを送信しうる。あるいは、ＵＥは、スケジュールされたアップリンク・キャリアで、ＰＵＳＣＨでＡＣＫ／ＮＡＣＫ、ＣＳＩ、およびデータを送信しうる。
【００５７】
ＵＥは、基本モードにおける動作のために設定されうる。ＵＥは、所与のサブフレームで送信すべきＡＣＫ／ＮＡＣＫおよびＣＳＩを有しうる。ＵＥは、サブフレームにおけるＰＵＳＣＨでのデータ送信のためにスケジュールされていないのであれば、すべての制御情報を送信するために利用可能なＰＵＣＣＨのみを有しうる。１つの設計では、Simultaneous-AN-and-CQIパラメータが、ＵＥについて「真」に設定されているのであれば、ＵＥは、（例えばＰＵＣＣＨフォーマット２ａ／２ｂを用いて）ＰＵＣＣＨでＡＣＫ／ＮＡＣＫおよびＣＳＩを送信しうる。あるいは、Simultaneous-AN-and-CQIパラメータが、ＵＥについて「偽」に設定されているのであれば、ＵＥは、（例えばＰＵＣＣＨフォーマット１ａ／１ｂを用いて）ＰＵＣＣＨでＡＣＫ／ＮＡＣＫのみを送信し、ＣＳＩを落としうる。ＵＥが、サブフレームにおけるＰＵＳＣＨでのデータ送信のためにスケジュールされているのであれば、ＵＥは、ＰＵＳＣＨで、データとともに、（例えば、Simultaneous-AN-and-CQIパラメータに依存して、）ＡＣＫ／ＮＡＣＫのみ、または、ＡＣＫ／ＮＡＣＫとＣＳＩとの両方を送信しうる。
【００５８】
エンハンスト・モードにおいてＡＣＫ／ＮＡＣＫおよびＣＳＩを送信するための上述した設計は、さまざまな利点を提供する。第１に、これら設計によって、ＵＥは、複数ビットのＡＣＫ／ＮＡＣＫをＣＳＩとともに送信できるようになりうる。これは、複数のキャリア、複数のサブフレーム、および／または、複数のレイヤにおけるデータ送信をサポートしうる。第２に、これらの設計によって、ＵＥは、（ＣＳＩを落とすのではなく、）ＡＣＫ／ＮＡＣＫとＣＳＩとの両方を確実に送信できるようになりうる。ＣＳＩを頻繁に落とすことは、ダウンリンク、特に複数キャリアにおけるダウンリンクでのデータ送信のパフォーマンスに悪影響を与えうる。
【００５９】
図６は、制御情報を送信する処理６００の設計を示す。処理６００は、（以下に説明するように）ＵＥによって実行されうるか、または、その他いくつかのエンティティによって実行されうる。ＵＥは、制御チャネル（例えば、ＰＵＣＣＨ）および共有チャネル（例えば、ＰＵＳＣＨ）の同時送信のための現在の設定を決定しうる（ブロック６１２）。ＵＥは、サブフレームにおいて、少なくとも１つのタイプの制御情報を送信するために、制御チャネルおよび共有チャネルから、１または複数のチャネルを選択しうる（ブロック６１４）。ＵＥは、制御チャネルおよび共有チャネルの同時送信のための現在の設定と、少なくとも１つのタイプの制御情報とに基づいて、１または複数のチャネルを選択しうる。ＵＥは、サブフレームにおいて、１または複数のチャネルで、制御情報を送信しうる（ブロック６１６）。
【００６０】
ＵＥはまた、その他の基準に基づいて、１または複数のチャネルを選択しうる。１つの設計では、ＵＥはさらに、（ｉ）ＵＥがサブフレームにおける共有チャネルでのデータ送信のためにスケジュールされているか否か、（ｉｉ）ＵＥが制御チャネルと共有チャネルとの両方を送信するための十分な送信電力を有しているか否か、（ｉｉｉ）ＵＥによる、ＡＣＫ／ＮＡＣＫおよびＣＳＩの同時送信の現在の設定、（ｉｖ）その他いくつかの基準、または（ｖ）  これら基準の組み合わせに基づいて、１または複数のチャネルを選択しうる。
【００６１】
制御情報は、ＡＣＫ／ＮＡＣＫおよびＣＳＩを備えうる。１つの設計において、ＵＥは、（ｉ）現在の設定が、制御チャネルと共有チャネルとの同時送信を許可しているとの判定、（ｉｉ）ＵＥが、サブフレームにおける共有チャネルでのデータ送信のためにスケジュールされているとの判定、（ｉｉｉ）ＵＥが、制御チャネルと共有チャネルとの両方を送信するための十分な送信電力を有しているとの判定、（ｉｖ）現在の設定が、ＡＣＫ／ＮＡＣＫおよびＣＳＩの同時送信を必要としていないとの判定、（ｖ）（例えば、ＡＣＫ／ＮＡＣＫが予め定められた数よりも多いビット数を備えているのであれば、）ＡＣＫ／ＮＡＣＫのビット数、（ｖｉ）その他いくつかの基準、または、（ｖｉｉ）これら基準の組み合わせ、に基づいて、ＡＣＫ／ＮＡＣＫを送信するために制御チャネルを、ＣＳＩを送信するために共有チャネルを選択しうる。１つの設計では、ＡＣＫ／ＮＡＣＫが、予め定められた数よりも少ないビット数を備えているのであれば、ＵＥは、ＡＣＫ／ＮＡＣＫとＣＳＩとの両方のための制御チャネルを選択しうる。別の設計では、ＡＣＫ／ＮＡＣＫが、予め定められた数よりも少ないビット数を備えているのであれば、ＵＥは、ＡＣＫ／ＮＡＣＫおよびＣＳＩのために、共有チャネルを選択しうる。ＵＥはまた、上述するように、別の方式で、ＡＣＫ／ＮＡＣＫおよびＣＳＩのおのおののため、制御チャネルまたは共有チャネルを選択しうる。
【００６２】
別の設計では、ＵＥは、複数の制御チャネルで制御情報を送信しうる。例えば、ＵＥは、ＡＣＫ／ＮＡＣＫを送信するために第１の制御チャネルを、ＣＳＩを送信するための第２の制御チャネルを選択しうる。また別の設計では、ＵＥは、複数のアンテナによって制御チャネルを送信しうる。例えば、ＵＥは、第１のアンテナによって制御チャネルでＡＣＫ／ＮＡＣＫを送信し、第２のアンテナによって制御チャネルでＣＳＩを送信しうる。ＵＥは、制御チャネルのターゲット・パフォーマンスに基づいて、各アンテナのための制御チャネルの送信電力を決定しうる。
【００６３】
１つの設計では、制御情報は、ＡＣＫ／ＮＡＣＫのみを備え、ＵＥは、ＡＣＫ／ＮＡＣＫを送信するための制御チャネルを選択しうる。別の設計では、制御情報は、ＣＳＩのみを備え、ＵＥは、ＣＳＩを送信するために制御チャネルを選択しうる。両方の設計について、ＵＥは、共有チャネルにおけるデータ送信のためにスケジュールされているのであれば、共有チャネルでデータを送信しうる。
【００６４】
１つの設計では、制御情報は、第１の優先度を持つ第１のタイプの制御情報と、第１の優先度よりも低い第２の優先度を持つ第２のタイプの制御情報とを備えうる。第１のタイプの制御情報は、ＡＣＫ／ＮＡＣＫおよびスケジューリング要求等を備えうる。第２のタイプの制御情報は、ＣＳＩ等を備えうる。ＵＥは、第１のタイプの制御情報を送信するために制御チャネルを選択し、第２のタイプの制御情報を送信するために共有チャネルを選択しうる。
【００６５】
１つの設計では、ＵＥは、（ｉ）ＵＥがサブフレームにおける共有チャネルでのデータ送信のためにスケジュールされていないとの判定、および／または、（ｉｉ）上述した基準のうちの１つまたは任意の組み合わせ、に基づいて、制御情報を送信するために制御チャネルを選択しうる。別の設計では、ＵＥは、サブフレームにおける共有チャネルでのデータ送信のためにスケジュールされているが、制御チャネルと共有チャネルとの同時送信のために設定されていないとの判定に基づいて、ＵＥは、制御情報を送信するために共有チャネルを選択しうる。
【００６６】
１つの設計では、ＵＥは、利用可能な送信電力を決定し、電力ヘッドルーム・レポートをサービス提供基地局へ送信しうる。ＵＥは、ＵＥによる制御チャネルおよび共有チャネルの同時送信のための現在の設定を示すシグナリングを受信する。この現在の設定は、ＵＥからの電力ヘッドルーム・レポートに基づいて判定されうる。
【００６７】
図７は、制御情報を受信する処理７００の設計を示す。処理７００は、（以下に説明するように）基地局／ｅＮＢ、または、その他いくつかのエンティティによって実行されうる。基地局は、ＵＥによる制御チャネル（例えば、ＰＵＣＣＨ）および共有チャネル（例えば、ＰＵＳＣＨ）の同時送信のための現在の設定を決定しうる（ブロック７１２）。基地局は、サブフレームにおいてＵＥから少なくとも１つのタイプの制御情報を受信するための１または複数のチャネルを決定しうる（ブロック７１４）。制御チャネルと共有チャネルとの同時送信のための現在の設定と、制御情報の少なくとも１つのタイプとに基づいて、制御チャネルおよび共有チャネルから、１または複数のチャネルが選択されうる。基地局は、サブフレームにおける１または複数のチャネルで、制御情報を受信しうる（ブロック７１６）。
【００６８】
１または複数のチャネルはまた、その他の基準に基づいても選択されうる。１つの設計では、１または複数のチャネルはさらに、（ｉ）ＵＥがサブフレームにおける共有チャネルでのデータ送信のためにスケジュールされているか否か、（ｉｉ）ＵＥが制御チャネルと共有チャネルとの両方を送信するための十分な送信電力を有しているか否か、（ｉｉｉ）ＵＥによるＡＣＫ／ＮＡＣＫおよびＣＳＩの同時送信の現在の設定、（ｉｖ）その他いくつかの基準、または、（ｖ）これら基準の組み合わせ、に基づいて選択されうる。
【００６９】
制御情報は、例えばＡＣＫ／ＮＡＣＫおよびＣＳＩのような異なるタイプを含みうる。１つの設計では、（ｉ）現在の設定が、ＵＥによる共有チャネルと制御チャネルとの同時送信を許可しているとの判定、（ｉｉ）ＵＥが、サブフレームにおける共有チャネルでのデータ送信のためにスケジュールされているとの判定、（ｉｉｉ）ＵＥが、制御チャネルと共有チャネルとの両方を送信するための十分な送信電力を有しているとの判定、（ｉｖ）現在の設定が、ＵＥによるＣＳＩおよびＡＣＫ／ＮＡＣＫの同時送信を要求していないとの判定、（ｖ）ＡＣＫ／ＮＡＣＫのビット数、（ｖｉ）その他のいくつかの基準、または、（ｖｉｉ）これら基準の組み合わせに基づいて、制御チャネルは、ＡＣＫ／ＮＡＣＫを送信するために選択され、共有チャネルは、ＣＳＩを送信するために選択されうる。１つの設計では、制御チャネルは、上記にリストされた基準のうちの何れか１つまたは任意の組み合わせに基づいて、制御情報のすべてを送信するように選択されうる。
【００７０】
１つの設計では、ＵＥは、単一のアップリンク・キャリアで、制御チャネルでＡＣＫ／ＮＡＣＫを、共有チャネルでＣＳＩを送信しうる。別の設計では、ＵＥは、第１のアップリンク・キャリアにおいて制御チャネルでＡＣＫ／ＮＡＣＫを送信し、第２のアップリンク・キャリアにおいて共有チャネルでＣＳＩを送信しうる。第１のアップリンク・キャリアは、ＵＥのためのアップリンク・アンカ・キャリアでありうる。第２のアップリンク・キャリアは、ＵＥがデータ送信のためにスケジュールされているアップリンク・キャリアでありうる。
【００７１】
別の設計では、第１の制御チャネルは、ＡＣＫ／ＮＡＣＫを送信するために選択され、第２の制御チャネルは、ＣＳＩを送信するために選択されうる。さらに別の設計では、ＡＣＫ／ＮＡＣＫは、ＵＥにおいて、第１のアンテナを介して制御チャネルで送信され、ＣＳＩは、ＵＥにおいて、第２のアンテナを介して制御チャネルで送信されうる。
【００７２】
１つの設計では、制御情報は、ＡＣＫ／ＮＡＣＫのみを備え、制御チャネルは、ＡＣＫ／ＮＡＣＫを送信するために選択されうる。別の設計では、制御情報は、ＣＳＩのみを備え、制御チャネルは、ＣＳＩを送信するために選択されうる。両設計の場合、ＵＥが、共有チャネルにおけるデータ送信のためにスケジュールされているのであれば、データを送信するために、共有チャネルが選択されうる。
【００７３】
制御情報は、第１の優先度を持つ第１のタイプの制御情報と、第１の優先度よりも低い第２の優先度を持つ第２のタイプの制御情報とを備えうる。１つの設計では、制御チャネルは、第１のタイプの制御情報を送信するために選択され、共有チャネルは、第２のタイプの制御情報を送信するために選択されうる。
【００７４】
１つの設計では、基地局は、ＵＥから電力ヘッドルーム・レポートを受信しうる。ＵＥによる制御チャネルおよび共有チャネルの同時送信のための現在の設定は、この電力ヘッドルーム・レポートに基づいて決定されうる。基地局は、制御チャネルおよび共有チャネルの同時送信のための現在の設定を示すシグナリングをＵＥへ送信しうる。
【００７５】
図８は、制御情報を送信する処理８００の設計を示す。処理８００は、（以下に説明するように）ＵＥによって実行されうるか、または、その他いくつかのエンティティによって実行されうる。ＵＥは、ＵＥがＰＵＣＣＨとＰＵＳＣＨとの同時送信のために設定されていると判定しうる（ブロック８１２）。ＵＥはまた、ＵＥが、サブフレームにおけるＰＵＳＣＨでのデータ送信のためにスケジュールされていることをも判定しうる（ブロック８１４）。ＵＥは、ＵＥが、サブフレームで送信するべきＡＣＫ／ＮＡＣＫおよびＣＳＩを有していると判定しうる（ブロック８１６）。ＵＥは、サブフレームにおいてＰＵＣＣＨでＡＣＫ／ＮＡＣＫを送信し（ブロック８１８）、サブフレームにおいてＰＵＳＣＨでＣＳＩおよびデータを送信しうる（ブロック８２０）。
【００７６】
図９は、制御情報を受信する処理９００の設計を示す。処理９００は、（以下に説明するように）基地局／ｅＮＢ、または、その他いくつかのエンティティによって実行されうる。基地局は、ＵＥが、ＰＵＣＣＨおよびＰＵＳＣＨの同時送信のために設定されていると判定しうる（ブロック９１２）。基地局はまた、ＵＥが、サブフレームにおけるＰＵＳＣＨでのデータ送信のためにスケジュールされていると判定しうる（ブロック９１４）。基地局は、ＵＥが、サブフレームにおいて送信すべきＡＣＫ／ＮＡＣＫおよびＣＳＩを有していると判定しうる（ブロック９１６）。基地局は、サブフレームにおいてＰＵＣＣＨでＡＣＫ／ＮＡＣＫを受信し（ブロック９１８）、サブフレームにおいてＰＵＳＣＨでＣＳＩおよびデータを受信しうる（ブロック９２０）。
【００７７】
図１０は、図１における基地局／ｅＮＢのうちの１つ、およびＵＥのうちの１つでありうる、基地局／ｅＮＢ１１０ｘとＵＥ１２０ｘとの設計のブロック図を示す。
【００７８】
ＵＥ１２０ｘ内では、受信機１０１０が、基地局によって送られたデータ送信を備えるダウンリンク信号を受信し処理しうる。モジュール１０１２は、受信したデータ送信を処理（例えば、復調および復号）しうる。モジュール１０１４は、受信したデータ送信のＡＣＫおよび／またはＮＡＣＫを判定しうる。モジュール１０１４はさらに、適用可能な場合には、複数のキャリア、複数のサブフレーム、および／または、複数のレイヤで受信したパケットのＡＣＫおよび／またはＮＡＣＫのバンドリングを実行しうる。モジュール１０１４は、受信したすべてのパケットのための、１または複数のビットのＡＣＫ／ＮＡＣＫを提供しうる。モジュール１０１６は、ＣＱＩレポートが予定されているか、または、要求されている各ダウンリンク・キャリアのためのＣＳＩ（例えば、ＣＱＩ、ＰＭＩ、および／またはＲＩ）を決定しうる。
【００７９】
モジュール１０２２は、ＵＥ１２０ｘの動作モード（例えば、基本モードまたはエンハンスト・モード）を決定しうる。モジュール１０２２はまた、ＵＥによるＰＵＣＣＨおよびＰＵＳＣＨの同時送信のための現在の設定を決定しうる。モジュール１０２２はまた、ＵＥによるＡＣＫ／ＮＡＣＫおよびＣＳＩの同時送信のための現在の設定を決定しうる。モジュール１０２４は、例えば前述したように、ＰＵＣＣＨおよび／またはＰＵＳＣＨが、所与のフレームにおいて制御情報を送信するために利用可能であるかを判定しうる。モジュール１０２６は、例えば、表３に示されるように、または、前述した設計のうちに何れかに基づいて、所与のサブフレームにおいて送信するための別のタイプの制御情報を、このサブフレームにおいて利用可能なＰＵＣＣＨおよび／またはＰＵＳＣＨにマップしうる。モジュール１０１８は、ＰＵＣＣＨで送信するすべての制御情報に基づいて、ＰＵＣＣＨの送信を生成しうる。モジュール１０１８は、（もしあれば、）ＰＵＳＣＨで送信すべきデータおよびすべての制御情報に基づいて、ＰＵＳＣＨの送信を生成しうる。送信機１０２０は、ＰＵＣＣＨ送信および／またはＰＵＳＣＨ送信を備えるアップリンク信号を生成し、送信しうる。コントローラ／プロセッサ１０２８は、ＵＥ１２０ｘ内のさまざまなモジュールの動作を指示しうる。メモリ１０３０は、ＵＥ１２０ｘのためのデータおよびプログラム・コードを格納しうる。
【００８０】
基地局１１０ｘ内では、モジュール１０５２が、ＵＥ１２０ｘおよび／またはその他のＵＥのためのダウンリンクでのデータ送信を生成する。送信機１０５０は、データ送信を備えるダウンリンク信号を生成し、送信しうる。受信機１０５６は、ＵＥ１２０ｘおよびその他のＵＥによって送信されたアップリンク信号を受信し、処理しうる。モジュール１０５８は、受信した信号を処理して、ＵＥ１２０ｘからのＰＵＣＣＨ送信および／またはＰＵＳＣＨ送信を復元する。
【００８１】
モジュール１０６２は、ＵＥ１２０ｘの動作モードの決定、
ＵＥ１２０ｘがＰＵＣＣＨおよびＰＵＳＣＨの同時送信のために設定されているのかの判定、ＵＥ１２０ｘがＡＣＫ／ＮＡＣＫおよびＣＳＩの同時送信のために設定されているかの判定等を行いうる。モジュール１０６４は、ＰＵＣＣＨおよび／またはＰＵＳＣＨが、所与のサブフレームにおいて制御情報を送信するためにＵＥ１２０ｘに利用可能であるかを判定しうる。モジュール１０６６は、サブフレームにおいて、ＰＵＣＣＨおよび／またはＰＵＳＣＨでどのタイプ（単数または複数）の制御情報を受信するのかを判定しうる。モジュール１０５４は、（モジュール１０６６によって示されるように）ＰＵＣＣＨまたはＰＵＳＣＨからＡＣＫ／ＮＡＣＫを取得し、必要であれば、バンドリングを解除し、各パケットの喪心の終了または継続を示すインジケーションを提供しうる。モジュール１０６０は、（モジュール１０６６によっても示されているように）ＰＵＣＣＨまたはＰＵＳＣＨからのＣＳＩを処理しうる。モジュール１０６０は、送信するパケット数を決定し、ＵＥ１２０ｘへのデータ送信のために使用するプリコーディング行列またはベクトルを決定し、ＣＳＩに基づいて、ＵＥ１２０ｘへ送信するための、各パケットの変調および符号化スキーム（ＭＣＳ）を選択しうる。上述するように、基地局１１０ｘ内のさまざまなモジュールが動作しうる。コントローラ／プロセッサ１０６８は、基地局１１０ｘ内のさまざまなモジュールの動作を指示しうる。メモリ１０７０は、基地局１１０ｘのためのデータおよびプログラム・コードを格納しうる。スケジューラ１０７２は、データ送信のため、ＵＥをスケジュールしうる。
【００８２】
図１０におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００８３】
図１１は、図１における基地局／ｅＮＢのうちの１つ、およびＵＥのうちの１つでありうる、基地局／ｅＮＢ１１０ｙとＵＥ１２０ｙとの設計のブロック図を示す。基地局１１０ｙは、Ｔ個のアンテナ１１３４ａ乃至１１３４ｔを備え、ＵＥ１２０ｙは、Ｒ個のアンテナ１１５２ａ乃至１１５２ｒを備えうる。ここで、一般に、Ｔ≧１およびＲ≧１である。
【００８４】
基地局１１０ｙでは、送信プロセッサ１１２０が、１または複数のＵＥのためのデータを、データ・ソース１１１２から受信し、このＵＥのために選択された１または複数のＭＣＳに基づいて、各ＵＥのためのデータを処理（例えば、符号化および変調）し、すべてのＵＥのためのデータ・シンボルを提供しうる。送信プロセッサ１１２０はまた、（例えば、ダウンリンク許可、アップリンク許可、設定メッセージ等のような）制御情報を処理し、制御シンボルを提供しうる。プロセッサ１１２０はさらに、基準信号のための基準シンボルを生成しうる。送信（ＴＸ）複数入力複数出力（ＭＩＭＯ）プロセッサ１１３０は、データ・シンボル、制御シンボル、および／または基準シンボル（適用可能な場合）をプリコードし、Ｔ個の出力シンボル・ストリームをＴ個の変調器（ＭＯＤ）１１３２ａ乃至１１３２ｔに提供しうる。おのおのの変調器１１３２は、（例えば、ＯＦＤＭ等のための）出力シンボル・ストリームを処理して、出力サンプル・ストリームを得る。おのおのの変調器１１３２はさらに、出力サンプル・ストリームを調整（例えば、アナログ変換、増幅、フィルタ、およびアップコンバート）し、ダウンリンク信号を取得する。変調器１１３２ａ乃至１１３２ｔからのＴ個のダウンリンク信号は、Ｔ個のアンテナ１１３４ａ乃至１１３４ｔによってそれぞれ送信されうる。
【００８５】
ＵＥ１２０ｙでは、アンテナ１１５２ａ乃至１１５２ｒが、基地局１１０ｙおよび／またはその他の基地局からダウンリンク信号を受信し、受信した信号を、復調器（ＤＥＭＯＤ）１１５４ａ乃至１１５４ｒへそれぞれ提供しうる。おのおのの復調器１１５４は、受信されたそれぞれの信号を調整（例えば、フィルタ、増幅、ダウンコンバート、およびデジタル化）して、入力サンプルを取得しうる。おのおのの復調器１１０５４はさらに、（例えば、ＯＦＤＭ等のため）これら入力サンプルを処理して、受信されたシンボルを取得しうる。ＭＩＭＯ検出器１１５６は、Ｒ個すべての復調器１１５４ａ乃至１１５４ｒから受信したシンボルを取得し、適用可能である場合、これら受信されたシンボルに対してＭＩＭＯ検出を実行し、検出されたシンボルを提供しうる。受信プロセッサ１１５８は、検出されたシンボルを処理（例えば、復調および復号）し、ＵＥ１２０ｙのために復号されたデータをデータ・シンク１１６０に提供し、復号された制御情報をコントローラ／プロセッサ１１８０へ提供しうる。チャンネル・プロセッサ１１８４は、基地局１１０ｙによって送信された１または複数の基準信号に基づいて、基地局１１０ｙのためのチャネル推定値を導出しうる。プロセッサ１１８４はまた、ＵＥ１２０ｙによってレポートされるＣＳＩを決定しうる。
【００８６】
アップリンクでは、ＵＥ１２０ｙにおいて、送信プロセッサ１１６４が、データ・ソース１１６２からデータを、コントローラ／プロセッサ１１８０から制御情報（例えば、ＡＣＫ／ＮＡＣＫ、ＣＳＩ等）を受信し、これらを処理しうる。プロセッサ１１６４はさらに、１または複数の基準信号のための基準シンボルを生成しうる。送信プロセッサ１１６４からのシンボルは、適用可能であれば、ＴＸ  ＭＩＭＯプロセッサ１１６６によってプリコードされ、さらに、（例えば、ＳＣ−ＦＤＭ、ＯＦＤＭ等のために）変調器１１５４ａ乃至１１５４ｒによって処理され、基地局１１０ｙへ送信される。基地局１１０ｙでは、ＵＥ１２０ｙおよびその他のＵＥからのアップリンク信号が、アンテナ１１３４によって受信され、復調器１１３２によって処理され、適用可能な場合にはＭＩＭＯ検出器１１３６によって検出され、さらに、受信プロセッサ１１３８によって処理されて、ＵＥ１２０ｙおよびその他のＵＥによって送信された復号されたデータおよび制御情報が取得される。プロセッサ１１３８は、復号されたデータをデータ・シンク１１３９に提供し、復号された制御情報をコントローラ／プロセッサ１１４０へ提供しうる。
【００８７】
コントローラ／プロセッサ１１４０，１１８０は、基地局１１０ｙおよびＵＥ１２０ｙそれぞれにおける動作を指示しうる。ＵＥ１２０ｙにおけるプロセッサ１１８０および／またはその他のプロセッサおよびモジュールは、図６における処理６００、図８における処理８００、および／または、本明細書に記載された技術のためのその他の処理の実行または指示を行いうる。基地局１１０ｙにおけるプロセッサ１１４０および／またはその他のプロセッサおよびモジュールは、図７における処理７００、図９における処理９００、および／または、本明細書に記載された技術のためのその他の処理の実行または指示を行いうる。メモリ１１４２，１１８２は、基地局１１０ｙおよびＵＥ１２０ｙそれぞれのためのデータおよびプログラム・コードを格納しうる。スケジューラ１１４４は、ダウンリンクおよび／またはアップリンクでのデータ送信のためにＵＥをスケジュールしうる。
【００８８】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８９】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００９０】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００９１】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００９２】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。例えば、同軸ケーブル、光ファイバ・ケーブル、ツイスト・ペア、またはデジタル加入者線（ＤＳＬ）を使用して、ウェブサイト、サーバ、あるいはその他の遠隔ソースからソフトウェアが送信される場合、同軸ケーブル、光ファイバ・ケーブル、ツイスト・ペア、またはＤＳＬは、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００９３】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2014239480.tif 000006
【図２】
2014239480.tif 000007
【図３】
2014239480.tif 000008
【図４】
2014239480.tif 000009
【図５】
2014239480.tif 000010
【図６】
2014239480.tif 000011
【図７】
2014239480.tif 000012
【図８】
2014239480.tif 000013
【図９】
2014239480.tif 000014
【図１０】
2014239480.tif 000015
【図１１】
2014239480.tif 000016
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器（ＵＥ）による制御チャネルと共有チャネルとの同時送信のための現在の設定を決定することと、
前記ＵＥがサブフレームにおけるデータ送信のためにスケジュールされているか否かを判定することと、
前記サブフレームにおいて送信される制御情報のタイプを決定することと、
前記制御情報のタイプと、前記制御チャネルと前記共有チャネルとの同時送信のための現在の設定と、前記ＵＥが前記サブフレームにおける送信のためにスケジュールされているか否かと、に基づいて、前記制御チャネルおよび前記共有チャネルの中から前記サブフレームにおいて制御情報を送信するための１または複数のチャネルを選択することと、
前記サブフレームにおいて前記１または複数のチャネルで前記制御情報を送信することと
を備え、前記制御チャネルと前記共有チャネルの両方が選択された場合、第１のタイプの制御情報は前記共有チャネルで送信され、第２のタイプの制御情報は前記制御チャネルで送信され、
前記第１および第２のタイプの制御情報は同時に送信される、方法。
【請求項２】
前記１または複数のチャネルを選択することは、前記ＵＥが、前記サブフレームにおいて、前記共有チャネルでのデータ送信のためにスケジュールされているか否かにさらに基づいて、前記１または複数のチャネルを選択することを備える、請求項１に記載の方法。
【請求項３】
前記１または複数のチャネルを選択することは、前記ＵＥが、前記サブフレームにおいて、前記制御チャネルと前記共有チャネルとの両方を送信するための十分な送信電力を有しているか否かにさらに基づいて、前記１または複数のチャネルを選択することを備える、請求項１に記載の方法。
【請求項４】
前記制御情報は、アクノレッジメント／否定的アクノレッジメント（ＡＣＫ／ＮＡＣＫ）ビットおよびチャネル状態情報（ＣＳＩ）を備える、請求項１に記載の方法。
【請求項５】
前記１または複数のチャネルを選択することは、前記現在の設定が、前記制御チャネルと前記共有チャネルとの同時送信を許可しているとの判定に基づいて、前記ＡＣＫ／ＮＡＣＫビットを送信するために前記制御チャネルを、前記ＣＳＩを送信するために前記共有チャネルを選択することを備える、請求項４に記載の方法。
【請求項６】
前記１または複数のチャネルを選択することは、前記ＵＥによる前記ＡＣＫ／ＮＡＣＫビットと前記ＣＳＩとの同時送信のための現在の設定にさらに基づいて、前記１または複数のチャネルを選択することを備える、請求項４に記載の方法。
【請求項７】
前記１または複数のチャネルを選択することは、前記ＡＣＫ／ＮＡＣＫビットを送信するために前記制御チャネルを、前記ＣＳＩを送信するために前記共有チャネルを選択することを備える、請求項６に記載の方法。
【請求項８】
前記１または複数のチャネルを選択することは、送信すべき前記ＡＣＫ／ＮＡＣＫビットの数にさらに基づいて、前記ＡＣＫ／ＮＡＣＫビットを送信するために前記制御チャネルを、前記ＣＳＩを送信するために前記共有チャネルを選択することを備える、請求項４に記載の方法。
【請求項９】
前記制御情報を送信することは、単一のアップリンク・キャリアにおいて、前記制御チャネルで前記ＡＣＫ／ＮＡＣＫビットを、前記共有チャネルで前記ＣＳＩを送信することを備える、請求項５に記載の方法。
【請求項１０】
前記制御情報を送信することは、
第１のアップリンク・キャリアにおいて前記制御チャネルで前記ＡＣＫ／ＮＡＣＫビットを送信することと、
第２のアップリンク・キャリアにおいて前記共有チャネルで前記ＣＳＩを送信することと
を備える、請求項５に記載の方法。
【請求項１１】
前記１または複数のチャネルを選択することは、前記ＵＥが前記サブフレームにおける前記共有チャネルでのデータ送信のためにスケジュールされていない場合、前記ＡＣＫ／ＮＡＣＫビットを送信するために第１の制御チャネルを、前記ＣＳＩを送信するために第２の制御チャネルを、選択することを備える、請求項４に記載の方法。
【請求項１２】
前記ＵＥが前記サブフレームにおける前記共有チャネルでのデータ送信のためにスケジュールされていない場合、前記制御情報を送信することは、
前記ＵＥの第１のアンテナによって、前記制御チャネルで前記ＡＣＫ／ＮＡＣＫビットを送信することと、
前記ＵＥの第２のアンテナによって、前記制御チャネルで前記ＣＳＩを送信することとを備える、請求項４に記載の方法。
【請求項１３】
前記制御情報は、アクノレッジメント／否定的アクノレッジメント（ＡＣＫ／ＮＡＣＫ）ビットのみを備え、
前記１または複数のチャネルを選択することは、前記ＡＣＫ／ＮＡＣＫビットを送信するために前記制御チャネルを選択することを備える、請求項１に記載の方法。
【請求項１４】
前記制御情報は、チャネル状態情報（ＣＳＩ）のみを備え、
前記１または複数のチャネルを選択することは、前記ＣＳＩを送信するために前記制御チャネルを選択することを備える、請求項１に記載の方法。
【請求項１５】
無線通信のための方法であって、
ユーザ機器（ＵＥ）による制御チャネルと共有チャネルとの同時送信のための現在の設定を決定することと、
前記制御情報のタイプと、前記制御チャネルと前記共有チャネルとの同時送信のための現在の設定と、前記ＵＥがサブフレームにおける送信のためにスケジュールされているか否かと、に基づいて、前記制御チャネルおよび前記共有チャネルの中から前記サブフレームにおいて制御情報を送信するための１または複数のチャネルを選択することであって、前記制御情報は、第１の優先度を持つ第１のタイプの制御情報と、前記第１の優先度よりも低い第２の優先度を持つ第２のタイプの制御情報とを備え、前記１または複数のチャネルを選択することは、前記第１のタイプの制御情報を送信するために前記制御チャネルを選択し、前記第２のタイプの制御情報を送信するために前記共有チャネルを選択することを備えることと、
前記サブフレームにおいて前記１または複数のチャネルで前記制御情報を送信することと
を備える、方法。
【請求項１６】
前記１または複数のチャネルを選択することは、前記サブフレームにおいて、前記共有チャネルでのデータ送信のために前記ＵＥがスケジュールされていないとの判定に基づいて、前記制御情報を送信するために前記制御チャネルを選択することを備える、請求項２に記載の方法。
【請求項１７】
無線通信のための方法であって、
ユーザ機器（ＵＥ）によって電力ヘッドルーム・レポートを送信することと、
前記ＵＥによる制御チャネルと共有チャネルとの同時送信のための現在の設定を決定することであって、前記現在の設定を決定することは、前記ＵＥによる前記制御チャネルと前記共有チャネルとの同時送信のための現在の設定を示すシグナリングを受信することを備え、前記現在の設定は、前記電力ヘッドルーム・レポートからの情報に基づくことと、
前記制御情報のタイプと、前記制御チャネルと前記共有チャネルとの同時送信のための現在の設定と、前記ＵＥがサブフレームにおける送信のためにスケジュールされているか否かと、に基づいて、前記制御チャネルおよび前記共有チャネルの中から前記サブフレームにおいて制御情報を送信するための１または複数のチャネルを選択することと、
前記サブフレームにおいて前記１または複数のチャネルで前記制御情報を送信することと
を備える、方法。
【請求項１８】
無線通信のための装置であって、
ユーザ機器（ＵＥ）による制御チャネルと共有チャネルとの同時送信のための現在の設定を決定する手段と、
前記ＵＥがサブフレームにおけるデータ送信のためにスケジュールされているか否かを判定する手段と、
前記サブフレームにおいて送信される制御情報のタイプを決定する手段と、
制御情報のタイプと、前記制御チャネルと前記共有チャネルとの同時送信のための現在の設定と、前記ＵＥが前記サブフレームにおける送信のためにスケジュールされているか否かと、に基づいて、前記制御チャネルおよび前記共有チャネルの中から前記サブフレームにおいて制御情報を送信するための１または複数のチャネルを選択する手段と、
前記サブフレームにおいて前記１または複数のチャネルで前記制御情報を送信する手段と
を備え、前記制御チャネルと前記共有チャネルの両方が選択された場合、第１のタイプの制御情報は前記共有チャネルで送信され、第２のタイプの制御情報は前記制御チャネルで送信され、
前記第１および第２のタイプの制御情報は同時に送信される、装置。
【請求項１９】
前記１または複数のチャネルを選択する手段は、前記サブフレームにおいて、前記共有チャネルでのデータ送信のために前記ＵＥがスケジュールされているか否かにさらに基づいて、前記１または複数のチャネルを選択する手段を備える、請求項１８に記載の装置。
【請求項２０】
前記１または複数のチャネルを選択する手段は、前記サブフレームにおいて、前記制御チャネルと前記共有チャネルとの両方を送信するための十分な送信電力を前記ＵＥが有しているか否かにさらに基づいて、前記１または複数のチャネルを選択する手段を備える、請求項１８に記載の装置。
【請求項２１】
前記制御情報は、アクノレッジメント／否定的アクノレッジメント（ＡＣＫ／ＮＡＣＫ）ビットおよびチャネル状態情報（ＣＳＩ）を備え、
前記１または複数のチャネルを選択する手段は、前記ＵＥによる前記ＡＣＫ／ＮＡＣＫビットと前記ＣＳＩとの同時送信のための現在の設定にさらに基づいて、前記１または複数のチャネルを選択する手段を備える、請求項１８に記載の装置。
【請求項２２】
前記制御情報は、アクノレッジメント／否定的アクノレッジメント（ＡＣＫ／ＮＡＣＫ）ビットを備え、
前記１または複数のチャネルを選択する手段は、前記ＡＣＫ／ＮＡＣＫビットのビット数にさらに基づいて、前記１または複数のチャネルを選択する手段を備える、請求項１８に記載の装置。
【請求項２３】
無線通信のための装置であって、
ユーザ機器（ＵＥ）による制御チャネルと共有チャネルとの同時送信のための現在の設定を決定し、
前記ＵＥがサブフレームにおけるデータ送信のためにスケジュールされているか否かを判定し、
前記サブフレームにおいて送信される制御情報のタイプを決定し、
前記制御情報のタイプと、前記制御チャネルと前記共有チャネルとの同時送信のための現在の設定と、前記ＵＥが前記サブフレームにおける送信のためにスケジュールされているか否かと、に基づいて、前記制御チャネルおよび前記共有チャネルの中から前記サブフレームにおいて制御情報を送信するための１または複数のチャネルを選択し、
前記サブフレームにおいて前記１または複数のチャネルで前記制御情報を送信する
ように構成され、前記制御チャネルと前記共有チャネルの両方が選択された場合、第１のタイプの制御情報は前記共有チャネルで送信され、第２のタイプの制御情報は前記制御チャネルで送信され、
前記第１および第２のタイプの制御情報は同時に送信される、少なくとも１つのプロセッサと、
前記少なくとも１つのプロセッサに接続されたメモリと、
を備える装置。
【請求項２４】
前記少なくとも１つのプロセッサは、前記サブフレームにおいて、前記共有チャネルでのデータ送信のために前記ＵＥがスケジュールされているか否かにさらに基づいて、前記１または複数のチャネルを選択するように構成された、請求項２３に記載の装置。
【請求項２５】
前記少なくとも１つのプロセッサは、前記サブフレームにおいて、前記制御チャネルと前記共有チャネルとの両方を送信するための十分な送信電力を前記ＵＥが有しているか否かにさらに基づいて、前記１または複数のチャネルを選択するように構成された、請求項２３に記載の装置。
【請求項２６】
前記制御情報は、アクノレッジメント／否定的アクノレッジメント（ＡＣＫ／ＮＡＣＫ）ビットおよびチャネル状態情報（ＣＳＩ）を備え、
前記少なくとも１つのプロセッサは、前記ＵＥによる前記ＡＣＫ／ＮＡＣＫビットと前記ＣＳＩとの同時送信のための現在の設定にさらに基づいて、前記１または複数のチャネルを選択するように構成された、請求項２３に記載の装置。
【請求項２７】
前記制御情報は、アクノレッジメント／否定的アクノレッジメント（ＡＣＫ／ＮＡＣＫ）ビットを備え、
前記少なくとも１つのプロセッサは、送信すべき前記ＡＣＫ／ＮＡＣＫビットの数にさらに基づいて、前記１または複数のチャネルを選択するように構成された、請求項２３に記載の装置。
【請求項２８】
命令を記録したコンピュータ読取可能な記録媒体であって、前記命令は、少なくとも１つのプロセッサによって実行されると、前記少なくとも１つのプロセッサに、
ユーザ機器（ＵＥ）による制御チャネルと共有チャネルとの同時送信のための現在の設定を決定し、
前記ＵＥがサブフレームにおけるデータ送信のためにスケジュールされているか否かを判定し、
前記サブフレームにおいて送信される制御情報のタイプを決定し、
前記制御情報のタイプと、前記制御チャネルと前記共有チャネルとの同時送信のための現在の設定と、前記ＵＥが前記サブフレームにおける送信のためにスケジュールされているか否かと、に基づいて、前記制御チャネルおよび前記共有チャネルの中から前記サブフレームにおいて制御情報を送信するための１または複数のチャネルを選択し、
前記サブフレームにおいて前記１または複数のチャネルで前記制御情報を送信する
ステップを実行させ、前記制御チャネルと前記共有チャネルの両方が選択された場合、第１のタイプの制御情報は前記共有チャネルで送信され、第２のタイプの制御情報は前記制御チャネルで送信され、
前記第１および第２のタイプの制御情報は同時に送信される、コンピュータ読取可能な記録媒体。
【請求項２９】
無線通信のための方法であって、
ユーザ機器（ＵＥ）による制御チャネルと共有チャネルとの同時送信のための現在の設定を決定することと、
サブフレームにおいて前記ＵＥから制御情報を受信するための前記チャネルのうちの１または複数を決定することであって、前記１または複数のチャネルは、前記制御情報のタイプと、前記制御チャネルと前記共有チャネルとの同時送信のための現在の設定と、前記ＵＥが前記サブフレームにおける送信のためにスケジュールされているか否かと、に基づいて決定されることと、
前記サブフレームにおいて前記１または複数のチャネルで前記制御情報を受信することと
を備え、前記制御チャネルと前記共有チャネルの両方が前記サブフレームにおいて前記ＵＥから制御情報を受信するためのチャネルとして決定された場合、第１のタイプの制御情報は前記共有チャネルで受信され、第２のタイプの制御情報は前記制御チャネルで受信され、
前記第１および第２のタイプの制御情報は同時に受信される、方法。
【請求項３０】
前記ＵＥが、前記サブフレームにおいて、前記共有チャネルでのデータ送信のためにスケジュールされているか否かにさらに基づいて、前記１または複数のチャネルが決定される、請求項２９に記載の方法。
【請求項３１】
前記サブフレームにおいて、前記制御チャネルと前記共有チャネルとの両方を送信するための十分な送信電力を前記ＵＥが有しているか否かにさらに基づいて、前記１または複数のチャネルが決定される、請求項２９に記載の方法。
【請求項３２】
前記制御情報は、アクノレッジメント／否定的アクノレッジメント（ＡＣＫ／ＮＡＣＫ）ビットおよびチャネル状態情報（ＣＳＩ）を備える、請求項２９に記載の方法。
【請求項３３】
前記現在の設定が、前記制御チャネルと前記共有チャネルとの同時送信を許可していると判定された場合、前記ＡＣＫ／ＮＡＣＫビットが前記制御チャネルで受信され、前記ＣＳＩが前記共有チャネルで受信される、請求項３２に記載の方法。
【請求項３４】
前記１または複数のチャネルを決定することは、前記ＡＣＫ／ＮＡＣＫビットと前記ＣＳＩとの同時送信のための前記ＵＥの現在の設定にさらに基づく、請求項３２に記載の方法。
【請求項３５】
前記制御チャネルで前記ＡＣＫ／ＮＡＣＫビットが受信され、前記共有チャネルで前記ＣＳＩが受信される、請求項３４に記載の方法。
【請求項３６】
前記決定することは、前記ＡＣＫ／ＮＡＣＫビットの数にさらに基づく、請求項３２に記載の方法。
【請求項３７】
前記制御情報を受信することは、単一のアップリンク・キャリアにおいて、前記制御チャネルで前記ＡＣＫ／ＮＡＣＫビットを、前記共有チャネルで前記ＣＳＩを受信することを備える、請求項３３に記載の方法。
【請求項３８】
前記制御情報を受信することは、
第１のアップリンク・キャリアにおいて前記制御チャネルで前記ＡＣＫ／ＮＡＣＫビットを受信することと、
第２のアップリンク・キャリアにおいて前記共有チャネルで前記ＣＳＩを受信することと
を備える、請求項３３に記載の方法。
【請求項３９】
前記ＵＥが前記サブフレームにおける前記共有チャネルでのデータ送信のためにスケジュールされていない場合、前記ＡＣＫ／ＮＡＣＫビットが第１の制御チャネルで受信され、前記ＣＳＩが第２の制御チャネルで受信される、請求項３２に記載の方法。
【請求項４０】
前記ＵＥが前記サブフレームにおける前記共有チャネルでのデータ送信のためにスケジュールされていない場合、前記制御情報を受信することは、
第１のＵＥアンテナからの送信で、前記制御チャネルで前記ＡＣＫ／ＮＡＣＫビットを受信することと、
第２のＵＥアンテナからの送信で、前記制御チャネルで前記ＣＳＩを受信することとを備える、請求項３２に記載の方法。
【請求項４１】
前記制御情報は、アクノレッジメント／否定的アクノレッジメント（ＡＣＫ／ＮＡＣＫ）ビットのみを備え、
前記制御チャネルが、前記ＡＣＫ／ＮＡＣＫビットを送信するために選択される、請求項２９に記載の方法。
【請求項４２】
前記制御情報は、チャネル状態情報（ＣＳＩ）のみを備え、
前記制御チャネルが、前記ＣＳＩを送信するために選択される、請求項２９に記載の方法。
【請求項４３】
無線通信のための方法であって、
ユーザ機器（ＵＥ）による制御チャネルと共有チャネルとの同時送信のための現在の設定を決定することと、
サブフレームにおいて前記ＵＥから制御情報を受信するための前記チャネルのうちの１または複数を決定することであって、前記１または複数のチャネルは、前記制御情報のタイプと、前記制御チャネルと前記共有チャネルとの同時送信のための現在の設定と、前記ＵＥが前記サブフレームにおける送信のためにスケジュールされているか否かと、に基づいて決定され、前記制御情報は、第１の優先度を持つ第１のタイプの制御情報と、前記第１の優先度よりも低い第２の優先度を持つ第２のタイプの制御情報とを備え、前記第１のタイプの制御情報は、前記制御チャネルで受信され、前記第２のタイプの制御情報は、前記共有チャネルで受信されることと、
前記サブフレームにおいて前記１または複数のチャネルで前記制御情報を受信することと
を備える、方法。
【請求項４４】
無線通信のための方法であって、
ユーザ機器（ＵＥ）から電力ヘッドルーム・レポートを受信することと、
前記ＵＥによる制御チャネルと共有チャネルとの同時送信のための現在の設定を決定することであって、前記ＵＥによる前記制御チャネルと前記共有チャネルとの同時送信のための現在の設定を決定することは、前記電力ヘッドルーム・レポートに基づくことと、
サブフレームにおいて前記ＵＥから制御情報を受信するための前記チャネルのうちの１または複数を決定することであって、前記１または複数のチャネルは、前記制御情報のタイプと、前記制御チャネルと前記共有チャネルとの同時送信のための現在の設定と、前記ＵＥが前記サブフレームにおける送信のためにスケジュールされているか否かと、に基づいて決定されることと、
前記サブフレームにおいて前記１または複数のチャネルで前記制御情報を受信することと
を備える、方法。
【請求項４５】
無線通信のための装置であって、
ユーザ機器（ＵＥ）による制御チャネルと共有チャネルとの同時送信のための現在の設定を決定する手段と、
サブフレームにおいて前記ＵＥから制御情報を受信するための前記チャネルのうちの１または複数を決定する手段であって、前記１または複数のチャネルは、前記制御情報のタイプと、前記制御チャネルと前記共有チャネルとの同時送信のための現在の設定と、前記ＵＥが前記サブフレームにおける送信のためにスケジュールされているか否かと、に基づいて決定される手段と、
前記サブフレームにおいて前記１または複数のチャネルで前記制御情報を受信する手段と
を備え、前記制御チャネルと前記共有チャネルの両方が前記サブフレームにおいて前記ＵＥから制御情報を受信するためのチャネルとして決定された場合、第１のタイプの制御情報は前記共有チャネルで受信され、第２のタイプの制御情報は前記制御チャネルで受信され、
前記第１および第２のタイプの制御情報は同時に受信される、装置。
【請求項４６】
前記サブフレームにおいて、前記共有チャネルでのデータ送信のために前記ＵＥがスケジュールされているか否かにさらに基づいて、前記１または複数のチャネルが決定される、請求項４５に記載の装置。
【請求項４７】
前記制御チャネルと前記共有チャネルとの両方を送信するための十分な送信電力を前記ＵＥが有しているか否かにさらに基づいて、前記１または複数のチャネルが決定される、請求項４５に記載の装置。
【請求項４８】
前記制御情報は、アクノレッジメント／否定的アクノレッジメント（ＡＣＫ／ＮＡＣＫ）ビットおよびチャネル状態情報（ＣＳＩ）を備え、
前記ＵＥによる前記ＡＣＫ／ＮＡＣＫビットと前記ＣＳＩとの同時送信のための現在の設定にさらに基づいて、前記１または複数のチャネルが選択される、請求項４５に記載の装置。
【請求項４９】
前記制御情報は、アクノレッジメント／否定的アクノレッジメント（ＡＣＫ／ＮＡＣＫ）ビットを備え、
前記１または複数のチャネルは、前記ＡＣＫ／ＮＡＣＫビットの数にさらに基づいて決定される、請求項４５に記載の装置。
【請求項５０】
無線通信のための装置であって、
ユーザ機器（ＵＥ）による制御チャネルと共有チャネルとの同時送信のための現在の設定を決定し、
サブフレームにおいて前記ＵＥから制御情報を受信するための前記チャネルのうちの１または複数を決定し、前記１または複数のチャネルは、前記制御情報のタイプと、前記制御チャネルと前記共有チャネルとの同時送信のための現在の設定と、前記ＵＥが前記サブフレームにおける送信のためにスケジュールされているか否かと、に基づいて決定され、
前記サブフレームにおいて前記１または複数のチャネルで前記制御情報を受信する
ように構成され、前記制御チャネルと前記共有チャネルの両方が前記サブフレームにおいて前記ＵＥから制御情報を受信するためのチャネルとして決定された場合、第１のタイプの制御情報は前記共有チャネルで受信され、第２のタイプの制御情報は前記制御チャネルで受信され、
前記第１および第２のタイプの制御情報は同時に受信される、少なくとも１つのプロセッサと、
前記少なくとも１つのプロセッサに接続されたメモリと、
を備える装置。
【請求項５１】
前記少なくとも１つのプロセッサは、前記サブフレームにおいて、前記共有チャネルでのデータ送信のために前記ＵＥがスケジュールされているか否かにさらに基づいて、前記１または複数のチャネルを決定する、請求項５０に記載の装置。
【請求項５２】
前記少なくとも１つのプロセッサは、前記制御チャネルと前記共有チャネルとの両方を送信するための十分な送信電力を前記ＵＥが有しているか否かにさらに基づいて、前記１または複数のチャネルを決定する、請求項５０に記載の装置。
【請求項５３】
前記制御情報は、アクノレッジメント／否定的アクノレッジメント（ＡＣＫ／ＮＡＣＫ）ビットおよびチャネル状態情報（ＣＳＩ）を備え、
前記ＵＥによる前記ＡＣＫ／ＮＡＣＫビットと前記ＣＳＩとの同時送信のための現在の設定にさらに基づいて、前記１または複数のチャネルが決定される、請求項５０に記載の装置。
【請求項５４】
前記制御情報は、アクノレッジメント／否定的アクノレッジメント（ＡＣＫ／ＮＡＣＫ）ビットを備え、
前記１または複数のチャネルは、前記ＡＣＫ／ＮＡＣＫビットの数にさらに基づいて決定される、請求項５０に記載の装置。
【請求項５５】
命令を記録したコンピュータ読取可能な記録媒体であって、前記命令は、少なくとも１つのプロセッサによって実行されると、前記少なくとも１つのプロセッサに、
ユーザ機器（ＵＥ）による制御チャネルと共有チャネルとの同時送信のための現在の設定を決定し、
サブフレームにおいて前記ＵＥから制御情報を受信するための前記チャネルのうちの１または複数を決定し、前記１または複数のチャネルは、前記制御情報のタイプと、前記制御チャネルと前記共有チャネルとの同時送信のための現在の設定と、前記ＵＥが前記サブフレームにおける送信のためにスケジュールされているか否かと、に基づいて決定され、
前記サブフレームにおいて前記１または複数のチャネルで前記制御情報を受信する
ステップを実行させ、前記制御チャネルと前記共有チャネルの両方が前記サブフレームにおいて前記ＵＥから制御情報を受信するためのチャネルとして決定された場合、第１のタイプの制御情報は前記共有チャネルで受信され、第２のタイプの制御情報は前記制御チャネルで受信され、
前記第１および第２のタイプの制御情報は同時に受信される、コンピュータ読取可能な記録媒体。
【手続補正２】
【補正対象書類名】明細書
【補正対象項目名】００９３
【補正方法】変更
【補正の内容】
【００９３】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］  無線通信のための方法であって、
ユーザ機器（ＵＥ）による制御チャネルと共有チャネルとの同時送信のための現在の設定を決定することと、
前記制御チャネルと前記共有チャネルとの同時送信のための現在の設定と、制御情報のタイプとに基づいて、前記制御チャネルおよび前記共有チャネルから、サブフレームで前記制御情報を送信するための、１または複数のチャネルを選択することと、
前記サブフレームにおいて、前記１または複数のチャネルで、前記制御情報を送信することと、
を備える方法。
［Ｃ２］  前記１または複数のチャネルを選択することは、前記ＵＥが、前記サブフレームにおいて、前記共有チャネルでのデータ送信のためにスケジュールされているか否かにさらに基づいて、前記１または複数のチャネルを選択することを備える、Ｃ１に記載の方法。
［Ｃ３］  前記１または複数のチャネルを選択することは、前記ＵＥが、前記サブフレームにおいて、前記制御チャネルと前記共有チャネルとの両方を送信するための十分な送信電力を有しているか否かにさらに基づいて、前記１または複数のチャネルを選択することを備える、Ｃ１に記載の方法。
［Ｃ４］  前記制御情報は、アクノレッジメント／否定的アクノレッジメント（ＡＣＫ／ＮＡＣＫ）ビットおよびチャネル状態情報（ＣＳＩ）を備える、Ｃ１に記載の方法。
［Ｃ５］  前記１または複数のチャネルを選択することは、前記現在の設定が、前記制御チャネルと前記共有チャネルとの同時送信を許可しているとの判定に基づいて、前記ＡＣＫ／ＮＡＣＫビットを送信するために前記制御チャネルを、前記ＣＳＩを送信するために前記共有チャネルを選択することを備える、Ｃ４に記載の方法。
［Ｃ６］  前記１または複数のチャネルを選択することは、前記ＵＥによる前記ＡＣＫ／ＮＡＣＫビットと前記ＣＳＩとの同時送信のための現在の設定にさらに基づいて、前記１または複数のチャネルを選択することを備える、Ｃ４に記載の方法。
［Ｃ７］  前記１または複数のチャネルを選択することは、前記ＡＣＫ／ＮＡＣＫビットを送信するために前記制御チャネルを、前記ＣＳＩを送信するために前記共有チャネルを選択することを備える、Ｃ６に記載の方法。
［Ｃ８］  前記１または複数のチャネルを選択することは、送信すべき前記ＡＣＫ／ＮＡＣＫビットの数にさらに基づいて、前記ＡＣＫ／ＮＡＣＫビットを送信するために前記制御チャネルを、前記ＣＳＩを送信するために前記共有チャネルを選択することを備える、Ｃ４に記載の方法。
［Ｃ９］  前記制御情報を送信することは、単一のアップリンク・キャリアにおいて、前記制御チャネルで前記ＡＣＫ／ＮＡＣＫビットを、前記共有チャネルで前記ＣＳＩを送信することを備える、Ｃ５に記載の方法。
［Ｃ１０］  前記制御情報を送信することは、
第１のアップリンク・キャリアにおいて前記制御チャネルで前記ＡＣＫ／ＮＡＣＫビットを送信することと、
第２のアップリンク・キャリアにおいて前記共有チャネルで前記ＣＳＩを送信することと
を備える、Ｃ５に記載の方法。
［Ｃ１１］  前記１または複数のチャネルを選択することは、前記ＡＣＫ／ＮＡＣＫビットを送信するために第１の制御チャネルを、前記ＣＳＩを送信するために第２の制御チャネルを選択することを備える、Ｃ４に記載の方法。
［Ｃ１２］  前記制御情報を送信することは、
前記ＵＥの第１のアンテナによって、前記制御チャネルで前記ＡＣＫ／ＮＡＣＫビットを送信することと、
前記ＵＥの第２のアンテナによって、前記制御チャネルで前記ＣＳＩを送信することとを備える、Ｃ４に記載の方法。
［Ｃ１３］  前記制御情報は、アクノレッジメント／否定的アクノレッジメント（ＡＣＫ／ＮＡＣＫ）ビットのみを備え、
前記１または複数のチャネルを選択することは、前記ＡＣＫ／ＮＡＣＫビットを送信するために前記制御チャネルを選択することを備える、Ｃ１に記載の方法。
［Ｃ１４］  前記制御情報は、チャネル状態情報（ＣＳＩ）のみを備え、
前記１または複数のチャネルは、前記ＣＳＩを送信するために前記制御チャネルを選択することを備える、Ｃ１に記載の方法。
［Ｃ１５］  前記制御情報は、第１の優先度を持つ第１のタイプの制御情報と、前記第１の優先度よりも低い第２の優先度を持つ第２のタイプの制御情報とを備え、
前記１または複数のチャネルを選択することは、前記第１のタイプの制御情報を送信するために前記制御チャネルを、前記第２のタイプの制御情報を送信するために前記共有チャネルを選択することを備える、Ｃ１に記載の方法。
［Ｃ１６］  前記１または複数のチャネルを選択することは、前記サブフレームにおいて、前記共有チャネルでのデータ送信のために前記ＵＥがスケジュールされていないとの判定に基づいて、前記制御情報を送信するために前記制御チャネルを選択することを備える、Ｃ２に記載の方法。
［Ｃ１７］  前記ＵＥによって電力ヘッドルーム・レポートを送信することと、
前記ＵＥによる前記制御チャネルと前記共有チャネルとの同時送信のための現在の設定を示すシグナリングを受信することと
をさらに備え、
前記現在の設定は、前記電力ヘッドルーム・レポートからの情報に基づく、Ｃ１に記載の方法。
［Ｃ１８］  無線通信のための装置であって、
ユーザ機器（ＵＥ）による制御チャネルと共有チャネルとの同時送信のための現在の設定を決定する手段と、
前記制御チャネルと前記共有チャネルとの同時送信のための現在の設定と、制御情報のタイプとに基づいて、前記制御チャネルおよび前記共有チャネルから、サブフレームで前記制御情報を送信するための、１または複数のチャネルを選択する手段と、
前記サブフレームにおいて、前記１または複数のチャネルで、前記制御情報を送信する手段と、
を備える装置。
［Ｃ１９］  前記１または複数のチャネルを選択する手段は、前記サブフレームにおいて、前記共有チャネルでのデータ送信のために前記ＵＥがスケジュールされているか否かにさらに基づいて、前記１または複数のチャネルを選択する手段を備える、Ｃ１８に記載の装置。
［Ｃ２０］  前記１または複数のチャネルを選択する手段は、前記サブフレームにおいて、前記制御チャネルと前記共有チャネルとの両方を送信するための十分な送信電力を前記ＵＥが有しているか否かにさらに基づいて、前記１または複数のチャネルを選択する手段を備える、Ｃ１８に記載の装置。
［Ｃ２１］  前記制御情報は、アクノレッジメント／否定的アクノレッジメント（ＡＣＫ／ＮＡＣＫ）ビットおよびチャネル状態情報（ＣＳＩ）を備え、
前記１または複数のチャネルを選択する手段は、前記ＵＥによる前記ＡＣＫ／ＮＡＣＫビットと前記ＣＳＩとの同時送信のための現在の設定にさらに基づいて、前記１または複数のチャネルを選択する手段を備える、Ｃ１８に記載の装置。
［Ｃ２２］  前記制御情報は、アクノレッジメント／否定的アクノレッジメント（ＡＣＫ／ＮＡＣＫ）ビットおよびチャネル状態情報（ＣＳＩ）を備え、
前記１または複数のチャネルを選択する手段は、前記ＡＣＫ／ＮＡＣＫビットのビット数にさらに基づいて、前記１または複数のチャネルを選択する手段を備える、Ｃ１８に記載の装置。
［Ｃ２３］  無線通信のための装置であって、
ユーザ機器（ＵＥ）による制御チャネルと共有チャネルとの同時送信のための現在の設定を決定し、
前記制御チャネルおよび前記共有チャネルから、１または複数のチャネルを選択し、
前記制御チャネルと前記共有チャネルとの同時送信のための現在の設定と、制御情報のタイプとに基づいて、サブフレームで前記制御情報を送信し、
前記サブフレームにおいて、前記１または複数のチャネルで、前記制御情報を送信するように構成された少なくとも１つのプロセッサと、
前記少なくとも１つのプロセッサに接続されたメモリと、
を備える装置。
［Ｃ２４］  前記少なくとも１つのプロセッサは、前記サブフレームにおいて、前記共有チャネルでのデータ送信のために前記ＵＥがスケジュールされているか否かにさらに基づいて、前記１または複数のチャネルを選択するように構成された、Ｃ２３に記載の装置。
［Ｃ２５］  前記少なくとも１つのプロセッサは、前記サブフレームにおいて、前記制御チャネルと前記共有チャネルとの両方を送信するための十分な送信電力を前記ＵＥが有しているか否かにさらに基づいて、前記１または複数のチャネルを選択するように構成された、Ｃ２３に記載の装置。
［Ｃ２６］  前記制御情報は、アクノレッジメント／否定的アクノレッジメント（ＡＣＫ／ＮＡＣＫ）ビットおよびチャネル状態情報（ＣＳＩ）を備え、
前記少なくとも１つのプロセッサは、前記ＵＥによる前記ＡＣＫ／ＮＡＣＫビットと前記ＣＳＩとの同時送信のための現在の設定にさらに基づいて、前記１または複数のチャネルを選択するように構成された、Ｃ２３に記載の装置。
［Ｃ２７］  前記制御情報は、アクノレッジメント／否定的アクノレッジメント（ＡＣＫ／ＮＡＣＫ）ビットを備え、
前記少なくとも１つのプロセッサは、送信すべき前記ＡＣＫ／ＮＡＣＫビットの数にさらに基づいて、前記１または複数のチャネルを選択するように構成された、Ｃ２３に記載の装置。
［Ｃ２８］  コンピュータ・プログラム製品であって、
少なくとも１つのプロセッサに対して、ユーザ機器（ＵＥ）による制御チャネルと共有チャネルとの同時送信のための現在の設定を決定させるためのコードと、
前記少なくとも１つのプロセッサに対して、前記制御チャネルと前記共有チャネルとの同時送信のための現在の設定と、制御情報のタイプとに基づいて、前記制御チャネルおよび前記共有チャネルから、サブフレームで前記制御情報を送信するための、１または複数のチャネルを選択させるためのコードと、
前記少なくとも１つのプロセッサに対して、前記サブフレームにおいて、前記１または複数のチャネルで、前記制御情報を送信させるためのコードと、
を備える非一時的なコンピュータ読取可能な媒体
を備える、コンピュータ・プログラム製品。
［Ｃ２９］  無線通信のための方法であって、
ユーザ機器（ＵＥ）による制御チャネルと共有チャネルとの同時送信のための現在の設定を決定することと、
サブフレームで前記ＵＥから制御情報を受信するためのチャネルの１または複数を決定することと、ここで、前記１または複数のチャネルは、前記制御チャネルと前記共有チャネルとの同時送信のための現在の設定と、前記制御情報のタイプとに基づいて決定される、
前記サブフレームにおいて、前記１または複数のチャネルで、前記制御情報を受信することと、
を備える方法。
［Ｃ３０］  前記ＵＥが、前記サブフレームにおいて、前記共有チャネルでのデータ送信のためにスケジュールされているか否かにさらに基づいて、前記１または複数のチャネルが決定される、Ｃ２９に記載の方法。
［Ｃ３１］  前記サブフレームにおいて、前記制御チャネルと前記共有チャネルとの両方を送信するための十分な送信電力を前記ＵＥが有しているか否かにさらに基づいて、前記１または複数のチャネルが決定される、Ｃ２９に記載の方法。
［Ｃ３２］  前記制御情報は、アクノレッジメント／否定的アクノレッジメント（ＡＣＫ／ＮＡＣＫ）ビットおよびチャネル状態情報（ＣＳＩ）を備える、Ｃ２９に記載の方法。
［Ｃ３３］  前記現在の設定が、前記制御チャネルと前記共有チャネルとの同時送信を許可していると判定された場合、前記ＡＣＫ／ＮＡＣＫビットが前記制御チャネルで受信され、前記ＣＳＩが前記共有チャネルで受信される、Ｃ３２に記載の方法。
［Ｃ３４］  前記１または複数のチャネルを決定することは、前記ＡＣＫ／ＮＡＣＫビットと前記ＣＳＩとの同時送信のための前記ＵＥの現在の設定にさらに基づく、Ｃ３２に記載の方法。
［Ｃ３５］  前記制御チャネルで前記ＡＣＫ／ＮＡＣＫビットが受信され、前記共有チャネルで前記ＣＳＩが受信される、Ｃ３４に記載の方法。
［Ｃ３６］  前記決定することは、前記ＡＣＫ／ＮＡＣＫビットの数にさらに基づく、Ｃ３２に記載の方法。
［Ｃ３７］  前記制御情報を受信することは、単一のアップリンク・キャリアにおいて、前記制御チャネルで前記ＡＣＫ／ＮＡＣＫビットを、前記共有チャネルで前記ＣＳＩを受信することを備える、Ｃ３３に記載の方法。
［Ｃ３８］  前記制御情報を受信することは、
第１のアップリンク・キャリアにおいて前記制御チャネルで前記ＡＣＫ／ＮＡＣＫビットを受信することと、
第２のアップリンク・キャリアにおいて前記共有チャネルで前記ＣＳＩを受信することと
を備える、Ｃ３３に記載の方法。
［Ｃ３９］  前記ＡＣＫ／ＮＡＣＫビットが第１の制御チャネルで受信され、前記ＣＳＩが第２の制御チャネルで受信される、Ｃ３２に記載の方法。
［Ｃ４０］  前記制御情報を受信することは、
第１のＵＥアンテナからの送信で、前記制御チャネルで前記ＡＣＫ／ＮＡＣＫビットを受信することと、
第２のＵＥアンテナからの送信で、前記制御チャネルで前記ＣＳＩを受信することとを備える、Ｃ３２に記載の方法。
［Ｃ４１］  前記制御情報は、アクノレッジメント／否定的アクノレッジメント（ＡＣＫ／ＮＡＣＫ）ビットのみを備え、
前記制御チャネルが、前記ＡＣＫ／ＮＡＣＫビットを送信するために選択される、Ｃ２９に記載の方法。
［Ｃ４２］  前記制御情報は、チャネル状態情報（ＣＳＩ）のみを備え、
前記制御チャネルが、前記ＣＳＩを送信するために選択される、Ｃ２９に記載の方法。
［Ｃ４３］  前記制御情報は、第１の優先度を持つ第１のタイプの制御情報と、前記第１の優先度よりも低い第２の優先度を持つ第２のタイプの制御情報とを備え、
前記第１のタイプの制御情報は、前記制御チャネルで受信され、前記第２のタイプの制御情報は、前記共有チャネルで受信される、Ｃ２９に記載の方法。
［Ｃ４４］  前記ＵＥから電力ヘッドルーム・レポートを受信することと、
前記ＵＥによる前記制御チャネルと前記共有チャネルとの同時送信のための現在の設定を、前記電力ヘッドルーム・レポートに基づいて決定することと、
をさらに備えるＣ２９に記載の方法。
［Ｃ４５］  無線通信のための装置であって、
ユーザ機器（ＵＥ）による制御チャネルと共有チャネルとの同時送信のための現在の設定を決定する手段と、
サブフレームで前記ＵＥから制御情報を受信するためのチャネルの１または複数を決定する手段と、ここで、前記１または複数のチャネルは、前記制御チャネルと前記共有チャネルとの同時送信のための現在の設定と、前記制御情報のタイプとに基づいて決定される、
前記サブフレームにおいて、前記１または複数のチャネルで、前記制御情報を受信する手段と、
を備える装置。
［Ｃ４６］  前記サブフレームにおいて、前記共有チャネルでのデータ送信のために前記ＵＥがスケジュールされているか否かにさらに基づいて、前記１または複数のチャネルが決定される、Ｃ４５に記載の装置。
［Ｃ４７］  前記制御チャネルと前記共有チャネルとの両方を送信するための十分な送信電力を前記ＵＥが有しているか否かにさらに基づいて、前記１または複数のチャネルが決定される、Ｃ４５に記載の装置。
［Ｃ４８］  前記制御情報は、アクノレッジメント／否定的アクノレッジメント（ＡＣＫ／ＮＡＣＫ）ビットおよびチャネル状態情報（ＣＳＩ）を備える、
前記ＵＥによる前記ＡＣＫ／ＮＡＣＫビットと前記ＣＳＩとの同時送信のための現在の設定にさらに基づいて、前記１または複数のチャネルが選択される、Ｃ４５に記載の装置。
［Ｃ４９］  前記制御情報は、アクノレッジメント／否定的アクノレッジメント（ＡＣＫ／ＮＡＣＫ）ビットを備え、
前記１または複数のチャネルは、前記ＡＣＫ／ＮＡＣＫビットの数にさらに基づいて決定される、Ｃ４５に記載の装置。
［Ｃ５０］  無線通信のための装置であって、
ユーザ機器（ＵＥ）による制御チャネルと共有チャネルとの同時送信のための現在の設定を決定し、
サブフレームで前記ＵＥから制御情報を受信するためのチャネルの１または複数を決定し、ここで、前記１または複数のチャネルは、前記制御チャネルと前記共有チャネルとの同時送信のための現在の設定と、前記制御情報のタイプとに基づいて決定される、
前記サブフレームにおいて、前記１または複数のチャネルで、前記制御情報を受信するように構成された少なくとも１つのプロセッサと、
前記少なくとも１つのプロセッサに接続されたメモリと、
を備える装置。
［Ｃ５１］  前記少なくとも１つのプロセッサは、前記サブフレームにおいて、前記共有チャネルでのデータ送信のために前記ＵＥがスケジュールされているか否かにさらに基づいて、前記１または複数のチャネルを決定する、Ｃ５０に記載の装置。
［Ｃ５２］  前記少なくとも１つのプロセッサは、前記制御チャネルと前記共有チャネルとの両方を送信するための十分な送信電力を前記ＵＥが有しているか否かにさらに基づいて、前記１または複数のチャネルを決定する、Ｃ５０に記載の装置。
［Ｃ５３］  前記制御情報は、アクノレッジメント／否定的アクノレッジメント（ＡＣＫ／ＮＡＣＫ）ビットおよびチャネル状態情報（ＣＳＩ）を備え、
前記ＵＥによる前記ＡＣＫ／ＮＡＣＫビットと前記ＣＳＩとの同時送信のための現在の設定にさらに基づいて、前記１または複数のチャネルが決定される、Ｃ５０に記載の装置。
［Ｃ５４］  前記制御情報は、アクノレッジメント／否定的アクノレッジメント（ＡＣＫ／ＮＡＣＫ）ビットを備え、
前記１または複数のチャネルは、前記ＡＣＫ／ＮＡＣＫビットの数にさらに基づいて決定される、Ｃ５０に記載の装置。
［Ｃ５５］  コンピュータ・プログラム製品であって、
少なくとも１つのプロセッサに対して、ユーザ機器（ＵＥ）による制御チャネルと共有チャネルとの同時送信のための現在の設定を決定させるためのコードと、
前記少なくとも１つのプロセッサに対して、サブフレームで前記ＵＥから制御情報を受信するためのチャネルの１または複数を決定させるためのコードと、ここで、１または複数のチャネルは、前記制御チャネルと前記共有チャネルとの同時送信のための現在の設定と、前記制御情報のタイプとに基づいて決定される、
前記少なくとも１つのプロセッサに対して、前記サブフレームで前記１または複数のチャネルで前記制御情報を受信させるためのコードと、
を備える非一時的なコンピュータ読取可能な媒体
を備える、コンピュータ・プログラム製品。
［Ｃ５６］  無線通信のための方法であって、
サブフレームにおいて、物理アップリンク共有チャネル（ＰＵＳＣＨ）でのデータ送信のためにユーザ機器（ＵＥ）がスケジュールされていることを判定することと、
前記サブフレームにおいて送信すべきアクノレッジメント／否定的アクノレッジメント（ＡＣＫ／ＮＡＣＫ）およびチャネル状態情報（ＣＳＩ）を前記ＵＥが有していると判定することと、
前記サブフレームにおいて、物理アップリンク制御チャネル（ＰＵＣＣＨ）で前記ＡＣＫ／ＮＡＣＫを送信することと、
前記サブフレームにおいて、前記ＰＵＳＣＨで、前記ＣＳＩおよびデータを送信することと、
を備える方法。
［Ｃ５７］  前記ＰＵＣＣＨと前記ＰＵＳＣＨとの同時送信のために前記ＵＥが設定されていると判定することをさらに備える、Ｃ５６に記載の方法。
［Ｃ５８］  無線通信のための方法であって、
サブフレームにおいて、物理アップリンク共有チャネル（ＰＵＳＣＨ）でのデータ送信のためにユーザ機器（ＵＥ）がスケジュールされていると判定することと、
前記サブフレームにおいて送信すべきアクノレッジメント／否定的アクノレッジメント（ＡＣＫ／ＮＡＣＫ）およびチャネル状態情報（ＣＳＩ）を前記ＵＥが有していると判定することと、
前記サブフレームにおいて、物理アップリンク制御チャネル（ＰＵＣＣＨ）で前記ＡＣＫ／ＮＡＣＫを送信することと、
前記サブフレームにおいて、前記ＰＵＳＣＨで、前記ＣＳＩおよびデータを受信することと、
を備える方法。
［Ｃ５９］  前記ＰＵＣＣＨと前記ＰＵＳＣＨとの同時送信のために前記ＵＥが設定されていると判定することをさらに備える、Ｃ５８に記載の方法。
【外国語明細書】
2014239480000001.pdf